(57)【要約】  アセンブリは、輸液ポンプの線形蠕動ポンプ駆動部に対して蠕動チューブを位置決めするように構成されている。アセンブリは、蠕動チューブと、第１および第２のチューブカプラと、フレームと、第１および第２の固設プレートと、フリーフロー防止アームと、付勢機構とを含み得る。フレームは、アセンブリを輸液ポンプのアセンブリレセプタクルに解除可能に固設するように構成されたスナップ嵌めタブを含み得る。フリーフロー防止アームは、フリーフロー防止位置とフリーフロー許容位置との間で選択的に移動可能であり得る。ラッチ機構は、フリーフロー許容位置でフリーフロー防止アームをラッチ留めし、付勢機構がフリーフロー防止アームをフリーフロー防止位置に付勢することができるように、フリーフロー防止アームをラッチ解除するように人間工学的に操作可能であり得る。【選択図】図２
2019525784.tif 000002
【特許請求の範囲】
【請求項１】
輸液ポンプの線形蠕動ポンプ駆動部に対して蠕動チューブを位置決めするように構成されたアセンブリであって、前記アセンブリが、
弾性材料で形成された蠕動チューブであって、前記線形蠕動ポンプ駆動部による圧縮に好適である、蠕動チューブと、
第１のチューブカプラおよび第２のチューブカプラであって、前記蠕動チューブの両端部に取り付けられており、前記第１および第２のチューブカプラの各々が、前記蠕動チューブと流体連通する管腔を有する、第１のチューブカプラおよび第２のチューブカプラと、
フレームであって、前記フレームが、
第１のビーム、
前記第１のビームに実質的に平行な第２のビームであって、前記第１および第２のビームが、実質的に第１の平面内にある、第２のビーム、
第１の端部で前記第１および第２のビームを結合する第１の端部プレートであって、実質的に前記第１の平面内にある、前記第１の端部プレート、
第２の端部で前記第１および第２のビームを結合する第２の端部プレートであって、実質的に前記第１の平面内にある、前記第２の端部プレート、ならびに
ラッチ受け、を含み、
前記第１のビームが、前記第１の平面から第１の方向に離れて突出するスナップ嵌めタブ、および前記スナップ嵌めタブに動作可能に連結されたスナップ解除ハンドルを含み、
前記スナップ嵌めタブが、前記アセンブリを前記輸液ポンプのアセンブリレセプタクルに解除可能に固設するように構成されており、前記アセンブリが前記スナップ嵌めタブを介して前記アセンブリレセプタクルに固設されたときに、前記蠕動チューブが、前記線形蠕動ポンプ駆動部と係合するように位置決めされ、
前記スナップ解除ハンドルの定義された操作により、前記スナップ嵌めタブが解除され、それに伴って、前記アセンブリが前記アセンブリレセプタクルから解除される、フレームと、
前記第１の端部プレートと協働して前記第１のチューブカプラを前記フレームに連結するように構成された第１の固設プレートと、
前記第２の端部プレートと協働して前記第２のチューブカプラを前記フレームに連結するように構成された第２の固設プレートと、
アーム端部で前記フレームに連結され、前記フレームの前記ラッチ受けと協働するように構成されたラッチ構造を有するフリーフロー防止アームであって、前記ラッチ構造と前記ラッチ受けとが一緒になってラッチ機構を提供し、
前記フリーフロー防止アームが、フリーフロー防止位置とフリーフロー許容位置との間で選択的に移動可能であり、
前記フリーフロー防止位置では、前記フリーフロー防止アームと前記フレームとが前記蠕動チューブを圧迫閉塞させ、前記フリーフロー許容位置では、前記蠕動チューブが圧迫閉塞されないように、前記フリーフロー防止アームと前記フレームとが、それらの間に前記蠕動チューブを通過させるように相対的に位置決めされており、
前記ラッチ機構が、前記フリーフロー防止アームをフリーフロー許容位置にラッチ留めするように人間工学的に操作可能である、フリーフロー防止アームと、
前記フリーフロー防止アームを前記フリーフロー防止位置に付勢するように構成された付勢機構と、を備え、
前記付勢機構が前記フリーフロー防止アームを前記フリーフロー防止位置に付勢することができるように、前記ラッチ機構が、前記フリーフロー防止アームをラッチ解除するように人間工学的に操作可能である、アセンブリ。
【請求項２】
前記フリーフロー防止アームの前記ラッチ構造が、母指押下面を含み、前記フレームのラッチ受けが、指押下面を含む、請求項１に記載のアセンブリ。
【請求項３】
前記フリーフロー防止アームの前記ラッチ構造が、解除キャッチを含む、請求項１に記載のアセンブリ。
【請求項４】
前記フリーフロー防止アームの前記ラッチ構造の前記解除キャッチは、人間の指が前記フリーフロー防止アームを十分撓ませて前記ラッチ機構をラッチ解除するための表面を提供するように構造化されている、請求項３に記載のアセンブリ。
【請求項５】
前記フリーフロー防止アームの前記ラッチ構造の前記解除キャッチが、前記輸液ポンプの前記アセンブリレセプタクル内の少なくとも１つの傾斜面と協働するように構造化され、それにより、前記アセンブリが前記アセンブリレセプタクルに固設されたときに、前記フリーフロー防止アームが前記フリーフロー許容位置に向かって移動するにつれて、前記解除キャッチが前記少なくとも１つの傾斜面に沿って摺動し、その結果、前記少なくとも１つの傾斜面によって前記解除キャッチに及ぼされる力が前記フリーフロー防止アームを十分撓ませて前記ラッチ機構が前記フリーフロー許容位置にラッチ留めするのを防止する、請求項３に記載のアセンブリ。
【請求項６】
前記フリーフロー防止アームの前記ラッチ構造の前記解除キャッチが、前記輸液ポンプの前記アセンブリレセプタクル内の少なくとも１つの傾斜面と協働するように構造化され、それにより、前記アセンブリが前記アセンブリレセプタクルに固設される前に、前記ラッチ機構が前記フリーフロー許容位置にラッチ留めされた場合、その後に前記アセンブリが前記スナップ嵌めタブを介して前記アセンブリレセプタクルに固設されると、前記少なくとも１つの傾斜面が、前記フリーフロー防止アームを十分撓ませるように適切な力を前記解除キャッチに及ぼし、その結果、前記ラッチ機構が解除される、請求項３に記載のアセンブリ。
【請求項７】
前記付勢機構が、前記フレームおよび前記フリーフロー保護アームとは別個に形成されたバネを含み、前記バネが、前記フレームと前記フリーフロー保護アームとの間に捕捉されている、請求項１に記載のアセンブリ。
【請求項８】
前記フリーフロー防止アームが、前記アーム端部で前記フレームにヒンジ式に連結されている、請求項１に記載のアセンブリ。
【請求項９】
前記フリーフロー防止アームが、前記フリーフロー防止アームと前記フレームとの間に実質的にトルクを与えないヒンジ機構によって、前記アーム端部で前記フレームにヒンジ式に連結されている、請求項８に記載のアセンブリ。
【請求項１０】
前記ラッチ機構が、前記フリーフロー防止アームを前記フリーフロー許容位置にラッチ留めするように片手で人間工学的に操作可能である、請求項１に記載のアセンブリ。
【請求項１１】
前記付勢機構が前記フリーフロー防止アームを前記フリーフロー防止位置に付勢することができるように、前記ラッチ機構が、前記フリーフロー防止アームをラッチ解除するように片手で人間工学的に操作可能である、請求項１に記載のアセンブリ。
【請求項１２】
前記フレームが、前記蠕動チューブを横断し、前記フリーフロー防止アームにほぼ位置合わせされたスロットを画定し、それにより、前記フリーフロー防止アームが前記フリーフロー防止位置にあるときに、前記フリーフロー防止アームが前記蠕動チューブを少なくとも部分的に前記スロット内に押下する、請求項１に記載のアセンブリ。
【請求項１３】
前記フレームが、前記スロットにまたがるバットレスを含み、前記バットレスが、前記蠕動チューブにほぼ位置合わせされる、請求項１２に記載のアセンブリ。
【請求項１４】
前記バットレスが、前記ラッチ機構の偶発的なラッチ留めに対する防止手段を提供する、請求項１３に記載のアセンブリ。
【請求項１５】
前記第１および第２のビームのうちの少なくとも１つが、実質的にＬ字形である、請求項１に記載のアセンブリ。
【請求項１６】
前記第１の固設プレートが、前記アセンブリに関連付けられた輸液の経路に関する情報を含む識別子を含む、請求項１に記載のアセンブリ。
【請求項１７】
前記識別子が、検出用に、関連付けられた可視または赤外光波長を提供する着色表面またはタグである、請求項１６に記載のアセンブリ。
【請求項１８】
前記識別子が、ＲＦＩＤタグ、磁気キー、識別ピン構成、および識別用突起のうちの少なくとも１つを含む、請求項１６に記載のアセンブリ。
【請求項１９】
輸液ポンプシステムであって、
アセンブリレセプタクルを含む輸液ポンプと、
前記輸液ポンプの線形蠕動ポンプ駆動部に対して蠕動チューブを位置決めするように構成された使い捨てアセンブリであって、前記アセンブリが、
弾性材料で形成された蠕動チューブであって、前記蠕動チューブが、前記線形蠕動ポンプ駆動部による圧縮用に好適である、蠕動チューブと、
第１のチューブカプラおよび第２のチューブカプラであって、前記第１および第２のチューブカプラが、前記蠕動チューブの両端部に取り付けられており、前記第１および第２のチューブカプラの各々が、前記蠕動チューブと流体連通する管腔を有する、第１のチューブカプラおよび第２のチューブカプラと、
フレームであって、前記フレームが、
第１のビーム、
前記第１のビームに実質的に平行な第２のビームであって、前記第１および第２のビームが、第１の平面内に実質的にある、第２のビーム、
第１の端部で前記第１および第２のビームを結合する第１の端部プレートであって、前記第１の端部プレートが、前記第１の平面内に実質的にある、第１の端部プレート、
第２の端部で前記第１および第２のビームを結合する第２の端部プレートであって、前記第２の端部プレートが、前記第１の平面内に実質的にある、第２の端部プレート、および
ラッチ受け、を含み、
前記第１のビームが、前記第１の平面から第１の方向に離れて突出するスナップ嵌めタブ、および前記スナップ嵌めタブに動作可能に連結されたスナップ解除ハンドルを含み、
前記スナップ嵌めタブが、前記アセンブリを前記輸液ポンプの前記アセンブリレセプタクルに解除可能に固設するように構成されており、前記アセンブリが前記スナップ嵌めタブを介して前記アセンブリレセプタクルに固設されたときに、前記蠕動チューブが、前記線形蠕動ポンプ駆動部と係合するように位置決めされ、
前記スナップ解除ハンドルの定義された操作により、前記スナップ嵌めタブが解除され、それに伴って、前記アセンブリが前記アセンブリレセプタクルから解除される、フレームと、
前記第１の端部プレートと協働して前記第１のチューブカプラを前記フレームに連結するように構成された第１の固設プレートと、
前記第２の端部プレートと協働して前記第２のチューブカプラを前記フレームに連結するように構成された第２の固設プレートと、
アーム端部で前記フレームに連結され、前記フレームの前記ラッチ受けと協働するように構成されたラッチ構造を有するフリーフロー防止アームであって、前記ラッチ構造と前記ラッチ受けとが一緒になってラッチ機構を提供し、
前記フリーフロー防止アームが、フリーフロー防止位置とフリーフロー許容位置との間で選択的に移動可能であり、
前記フリーフロー防止位置では、前記フリーフロー防止アームと前記フレームとが前記蠕動チューブを圧迫閉塞させ、前記フリーフロー許容位置では、前記蠕動チューブが圧迫閉塞されないように、前記フリーフロー防止アームと前記フレームとが、それらの間に前記蠕動チューブを通過させるように相対的に位置決めされており、
前記ラッチ機構が、前記フリーフロー防止アームをフリーフロー許容位置にラッチ留めするように人間工学的に操作可能である、フリーフロー防止アームと、
前記フリーフロー防止アームを前記フリーフロー防止位置に付勢するように構成された付勢機構と、を備え、
前記付勢機構が前記フリーフロー防止アームを前記フリーフロー防止位置に付勢することができるように、前記ラッチ機構が、前記フリーフロー防止アームをラッチ解除するように人間工学的に操作可能である、輸液ポンプシステム。
【請求項２０】
前記アセンブリレセプタクルが、少なくとも１つの傾斜面を画定し、さらに、前記フリーフロー防止アームの前記ラッチ構造の前記解除キャッチが、前記輸液ポンプの前記アセンブリレセプタクル内の前記少なくとも１つの傾斜面と協働するように構造化され、それにより、前記アセンブリが前記アセンブリレセプタクルに固設されたときに、前記フリーフロー防止アームが前記フリーフロー許容位置に向かって移動するにつれて、前記解除キャッチが前記少なくとも１つの傾斜面に沿って摺動し、その結果、前記少なくとも１つの傾斜面によって前記解除キャッチに及ぼされる力が前記フリーフロー防止アームを十分撓ませて前記ラッチ機構が前記フリーフロー許容位置にラッチ留めするのを防止する、請求項１９に記載のシステム。
【請求項２１】
前記輸液ポンプが、前記アセンブリレセプタクルへのアクセスを許容または遮断するために開閉し得るレセプタクルドアをさらに含み、前記レセプタクルドアが、フリーフロー保護アーム押出部およびドアラッチレバーであって、前記アセンブリが前記アセンブリレセプタクルによって受容され、前記レセプタクルドアが閉じられたときに、前記ドアラッチレバーがラッチ解除位置からラッチ留め位置まで移動するにつれて、前記フリーフロー保護アーム押出部が前記フリーフロー保護アームを前記フリーフロー防止位置から前記フリーフロー許容位置まで押出するように動作可能に連結されている、フリーフロー保護アーム押出部およびドアラッチレバーを含む、請求項１９に記載のシステム。
【請求項２２】
前記アセンブリレセプタクルが、前記使い捨てアセンブリ上の識別子から輸液経路の情報を検出する感知デバイスを含む、請求項１９に記載のシステム。
【請求項２３】
前記感知デバイスが、光センサである、請求項２２に記載のシステム。
【請求項２４】
前記感知デバイスが、ＲＦＩＤ読み取り機、磁気キー読み取り機、およびピン識別子のうちの少なくとも１つを含む、請求項２２に記載のシステム。
【請求項２５】
輸液ポンプの線形蠕動ポンプ駆動部に対して蠕動チューブを位置決めするように構成されたアセンブリであって、前記アセンブリが、
弾性材料で形成された蠕動チューブであって、前記蠕動チューブが、前記線形蠕動ポンプ駆動部による圧縮用に好適である、蠕動チューブと、
フレームであって、前記フレームが、
ビーム、および
ラッチ受け、を含む、フレームと、
前記フレームの前記ビームの第１の端部に位置決めされた第１のチューブ支持部と、
前記フレームの前記ビームの第２の端部に位置決めされた第２のチューブ支持部であって、前記第１のチューブ支持部および前記第２のチューブ支持部が、前記フレームに対して前記蠕動チューブの前記位置を維持するように構成されている、第２のチューブ支持部と、
アーム端部で前記フレームに取り付けられ、前記フレームの前記ラッチ受けと協働するように構成されたラッチ構造を有するフリーフロー防止アームと、を備え、前記ラッチ構造と前記ラッチ受けとが一緒になってラッチ機構を提供し、
前記フリーフロー防止アームが、フリーフロー防止位置とフリーフロー許容位置との間で移動可能であり、
前記フリーフロー防止位置では、前記フリーフロー防止アームと前記フレームとが前記蠕動チューブを圧迫閉塞させ、前記フリーフロー許容位置では、前記蠕動チューブが閉塞されないように、前記フリーフロー防止アームと前記フレームとにより、それらの間を前記蠕動チューブが通過することが可能となり、
前記ラッチ機構が、ラッチ留め状態では、前記フリーフロー防止アームを前記フリーフロー許容位置に拘束し、ラッチ解除状態では、前記フリーフロー防止アームを前記フリーフロー許容位置に拘束せず、
前記ラッチ機構が、前記ラッチ留め状態に移動させるように片手で操作可能であり、
前記ラッチ機構が、前記ラッチ解除状態に移動させるように片手で操作可能である、アセンブリ。
【請求項２６】
前記ビームが、前記ビームから離れて突出するスナップ嵌めタブ、および前記スナップ嵌めタブに動作可能に連結されたスナップ解除ハンドルを含み、
前記スナップ嵌めタブが、前記アセンブリを前記輸液ポンプのアセンブリレセプタクルに解除可能に固設するように構成されており、前記アセンブリが前記スナップ嵌めタブを介して前記アセンブリレセプタクルに固設されたときに、前記蠕動チューブが、前記線形蠕動ポンプ駆動部と係合するように位置決めされ、
前記スナップ解除ハンドルの操作により、前記スナップ嵌めタブが解除され、それに伴って、前記アセンブリが前記アセンブリレセプタクルから解除される、請求項２５に記載のアセンブリ。
【請求項２７】
前記アセンブリが、前記輸液ポンプのアセンブリレセプタクルに解除可能に固設されるように構成されており、
前記フリーフロー防止アームの前記ラッチ構造が、人間の指が前記フリーフロー防止アームを十分撓ませて前記ラッチ機構をラッチ解除するための滑り止めを提供するように構造化された解除キャッチを含み、
前記フリーフロー防止アームの前記ラッチ構造の前記解除キャッチが、前記輸液ポンプの前記アセンブリレセプタクル内の少なくとも１つの傾斜面と協働するように構造化され、それにより、前記アセンブリが前記アセンブリレセプタクルに固設される前に、前記ラッチ機構が前記フリーフロー許容位置にラッチ留めされ場合、その後に前記アセンブリが前記アセンブリレセプタクルに固設されると、前記少なくとも１つの傾斜面が、前記フリーフロー防止アームを十分撓ませるように適切な力を前記解除キャッチに及ぼし、その結果、前記ラッチ機構が解除される、請求項２５に記載のアセンブリ。
【請求項２８】
輸液ポンプの線形蠕動ポンプ駆動部に対して蠕動チューブを位置決めするように構成されたアセンブリであって、前記アセンブリが、
線形蠕動ポンプ駆動部による圧縮用に好適な蠕動チューブと、
第１のチューブカプラおよび第２のチューブカプラであって、各々が前記蠕動チューブの両端部に取り付けられており、各々が前記蠕動チューブと流体連通する管腔を有する、第１のチューブカプラおよび第２のチューブカプラと、
隔置された位置で前記第１のチューブカプラおよび前記第２のチューブカプラに連結されたフレームであって、前記蠕動チューブが前記線形蠕動ポンプ駆動部と係合するように位置決めされるように、前記フレームが、前記輸液ポンプへの解除可能な取り付け用に構成されており、前記フレームが、指押下面を有する前記フレームから突出するラッチ受けをさらに含む、フレームと、
アーム端部で前記フレームにヒンジ式に連結され、前記ラッチ受けと協働するようにサイズ決めされたラッチ構造を有するフリーフロー防止アームであって、前記ラッチ構造が、前記アームから外方に突出する母指押下面、および前記母指押下面から隔置された位置に配設された解除キャッチを含み、フリーフロー防止位置とフリーフロー許容位置との間で前記フリーフロー防止アームの前記ラッチ受けを選択的にラッチ留めおよびラッチ解除する片手での人間工学的な操作のために、前記ラッチ受けの前記指押下面と前記ラッチ構造の前記母指押下面とが対向して配設され、かつすぐ近くで動作可能に連結されている、フリーフロー防止アームと、
前記フレームと前記フリーフロー保護アームとの間に位置し、前記フリーフロー防止アームを前記フリーフロー防止位置に付勢するように構成された付勢機構と、を備える、アセンブリ。
【請求項２９】
前記フレームが、スナップ嵌めタブとスナップ解除ハンドルとを含む、請求項２８に記載のアセンブリ。
【請求項３０】
前記フレームが、前記アセンブリに関連付けられた輸液の経路に関する情報を含む識別子を含む、請求項２８に記載のアセンブリ。
【請求項３１】
前記識別子が、検出用に、関連付けられた可視または赤外光波長を提供する着色表面またはタグである、請求項３０に記載のアセンブリ。
【請求項３２】
前記識別子が、ＲＦＩＤタグ、磁気キー、識別ピン構成、および識別用突起のうちの少なくとも１つを含む、請求項３０に記載のアセンブリ。
【発明の詳細な説明】
【技術分野】
【０００１】
関連出願の相互参照
本出願は、２０１６年６月１６日に出願された米国仮特許出願第６２／３５０，９０５号の利益を主張するものであり、参照により本明細書に完全に組み込まれる。
【０００２】
本開示は、輸液ポンプシステムに関し、より詳細には、輸液ポンプシステム投与セットのためのアセンブリおよび方法に関する。
【背景技術】
【０００３】
輸液ポンプは、多くのタイプの治療用輸液剤送達および分注を管理するための有用な医用デバイスである。輸液ポンプは、輸液剤を長期間にわたって正確に送達することにより、手動投与に比べて大きな利点を提供する。輸液ポンプは、癌、糖尿病、ならびに血管、神経、および代謝障害を含む、定期的な薬理学的介入を必要とする疾患および障害を処置するために特に有用である。これらはまた、ヘルスケア提供者が麻酔を施し、痛みを管理する能力を高める。輸液ポンプは、病院、看護施設、他の短期および長期医療施設、ならびに在宅ケアの環境を含む、さまざまな環境で使用されている。外来ポンプ、大容量ポンプ、自己調節鎮痛法（ＰＣＡ）ポンプ、エラストマーポンプ、注射器ポンプ、経腸ポンプ、およびインスリンポンプを含む多くのタイプの輸液ポンプがある。輸液ポンプを使用して、静脈内送達、腹腔内送達、動脈内送達、皮内送達、皮下送達、神経のすぐ近くでの送達、および術中部位、硬膜外腔、またはくも膜下腔内への送達を含む、さまざまな送達方法を介して薬物を投与することができる。
【０００４】
一般に「蠕動」ポンプシステムと呼ばれている輸液ポンプシステムの特定のタイプでは、患者への輸液剤送達は、使用後に、典型的には使い捨てであり、輸液剤の流れの速度を制御するポンプと協働して、容器（例えば、静脈内、つまり「ＩＶ」バッグ）から患者への輸液剤のための流体経路（例えば、チューブ類）を提供し得る輸液投与セットの使用により典型的には達成される。蠕動輸液ポンプは、典型的には、蠕動ポンプ機構を組み込んでおり、蠕動ポンプ機構は、投与セットのチューブ類の連続した部分を波状運動で反復的に閉塞させることによって機能し得る。蠕動ポンプ機構を意図どおりに機能させるためには、投与セットのチューブ類（または他の要素）の部分と、投与セットと相互作用する蠕動ポンプ機構の要素との間に適切な位置決めを維持すべきである。加えて、ポンプは、ポンプ内またはポンプとの投与セットの正しい配置を必要とし得る閉塞センサおよびエアインライン検出器などのデバイスを含み得る。実用的な蠕動輸液ポンプシステムは、一般的に、手段、方法、および／または機構であって、それらによって、（前述のように典型的には使い捨てである）輸液投与セットを、輸液剤送達が開始される前にポンプに適切に係合し、次いで、輸液剤送達が遂行されたかまたは完了した後にポンプから係脱することができる、手段、方法、および／または機構を含む。また、いわゆる「大容量ポンプ」または「ＬＶＰ」システムは、典型的には、蠕動ポンプおよび前述のような関連構成要素を含むことに留意されたい。いくつかの刊行物では、「容積型ポンプ」という用語も、正確であろうと不正確であろうと、蠕動ポンプまたは大容量ポンプを参照するために多種多様に使用されることがあることにさらに留意されたい。
【０００５】
輸液投与セットは、好ましくは、ポンプに係合されていないときの輸液剤の制御されていないフリーフローを不可能にするための機構を含み、当該機構を含むことが法律または規制によって要求される場合さえある。かかる「フロー停止」デバイスは、投与セットがポンプに係合されていない場合、フリーフロー防止モードまたは状態で初期設定されもよいし、当該モードまたは状態に付勢されてもよい。ポンプに係合されたときに、ポンプが輸液剤を送達し得るように、フロー停止デバイスに係脱するかまたは別様に作用する機構が概して必要である。さらに、投与セットがポンプに係合されていないときに、プライミングおよび／または意図的な重力送りの輸液剤送達などの機能のために、フロー停止デバイスの手動オーバーライドを可能にすることが望ましい場合がある。
【０００６】
輸液投与セットに関する複数の機能的目的の点から、介護者の負担を低減し、患者の安全性を増加させる、改善された使い易い投与セットに対する要望がある。
【発明の概要】
【０００７】
本開示は、輸液ポンプシステムに関し、より詳細には、輸液ポンプシステム投与セットのためのアセンブリおよび方法に関する。
【０００８】
例示的であるが限定的ではない例において、本開示は、輸液ポンプの線形蠕動ポンプ駆動部に対して蠕動チューブを位置決めするように構成されたアセンブリを提供する。アセンブリは、蠕動チューブと、第１および第２のチューブカプラと、フレームと、第１および第２の固設プレートと、フリーフロー防止アームと、付勢機構とを含み得る。
【０００９】
蠕動チューブは、弾性材料で形成され得、ポンプの線形蠕動ポンプ駆動部による圧縮に好適であり得る。第１および第２のチューブカプラは、蠕動チューブの両端部に取り付けられ得、第１および第２のチューブカプラの各々は、蠕動チューブと流体連通する管腔を有する。
【００１０】
フレームは、第１のビーム、および第１のビームに実質的に平行な第２のビームを含み得、第１および第２のビームは、実質的に第１の平面内にある。場合によっては、第１および第２のビームのうちの少なくとも１つは、実質的にＬ字形であり得る。フレームはまた、第１の端部で第１および第２のビームを結合する第１の端部プレート、ならびに第２の端部で第１および第２のビームを結合する第２の端部プレートを含み得、第１および第２の端部プレートは、実質的に第１の平面内にある。第１のビームは、第１の平面から第１の方向に離れて突出するスナップ嵌めタブ、およびスナップ嵌めタブに動作可能に連結されたスナップ解除ハンドルを含み得る。スナップ嵌めタブは、アセンブリを輸液ポンプのアセンブリレセプタクルに解除可能に固設するように構成され得、それにより、アセンブリがスナップ嵌めタブを介してアセンブリレセプタクルに固設されたときに、蠕動チューブが、ポンプの線形蠕動ポンプ駆動部と係合するように位置決めされる。スナップ解除ハンドルの定義された操作により、スナップ嵌めタブを解除し、それに伴って、アセンブリをアセンブリレセプタクルから解除することができる。
【００１１】
アセンブリはまた、第１の端部プレートと協働して第１のチューブカプラをフレームに連結するように構成された第１の固設プレートと、第２の端部プレートと協働して第２のチューブカプラをフレームに連結するように構成された第２の固設プレートとを含み得る。
【００１２】
アセンブリは、アーム端部でフレームに連結され、フレームのラッチ受けと協働するように構成されたラッチ構造を有するフリーフロー防止アームを含み得、それにより、ラッチ構造とラッチ受けとが一緒になってラッチ機構を提供する。フリーフロー防止アームは、フリーフロー防止位置とフリーフロー許容位置との間で選択的に移動可能であり得る。フリーフロー防止位置では、フリーフロー防止アームとフレームとが蠕動チューブを圧迫閉塞させ得、フリーフロー許容位置では、蠕動チューブが圧迫閉塞されないように、フリーフロー防止アームとフレームとが、それらの間に蠕動チューブを通過させるように相対的に位置決めされ得る。ラッチ機構は、フリーフロー防止アームをフリーフロー許容位置にラッチ留めするように人間工学的に操作可能であり得る。アセンブリの付勢機構は、フリーフロー防止アームをフリーフロー防止位置に付勢するように構成され得る。付勢機構がフリーフロー防止アームをフリーフロー防止位置に付勢することができるように、アセンブリのラッチ機構は、フリーフロー防止アームをラッチ解除するように人間工学的に操作可能であり得る。
【００１３】
いくつかの例では、フリーフロー防止アームのラッチ構造は、母指押下面を含み得、フレームのラッチ受けは、指押下面を含み得る。
【００１４】
場合によっては、フリーフロー防止アームのラッチ構造は、解除キャッチを含み得る。フリーフロー防止アームのラッチ構造の解除キャッチは、人間の指がフリーフロー防止アームを十分撓ませてラッチ機構をラッチ解除するための表面を提供するように構造化され得る。フリーフロー防止アームのラッチ構造の解除キャッチは、輸液ポンプのアセンブリレセプタクル内の少なくとも１つの傾斜面と協働するように構造化され得、それにより、アセンブリがアセンブリレセプタクルに固設されたときに、フリーフロー防止アームがフリーフロー許容位置に向かって移動するにつれて、解除キャッチが傾斜面（複数可）に沿って摺動し、その結果、傾斜面（複数可）によって解除キャッチに及ぼされる力がフリーフロー防止アームを十分撓ませてラッチ機構がフリーフロー許容位置にラッチ留めするのを防止する。代替的にまたは加えて、フリーフロー防止アームのラッチ構造の解除キャッチは、輸液ポンプのアセンブリレセプタクル内の少なくとも１つの傾斜面と協働するように構造化され得、それにより、アセンブリがアセンブリレセプタクルに固設される前に、ラッチ機構がフリーフロー許容位置にラッチ留めされた場合、その後にアセンブリがスナップ嵌めタブを介してアセンブリレセプタクルに固設されたときに、傾斜面（複数可）が、フリーフロー防止アームを十分撓ませるように適切な力を解除キャッチに及ぼし、その結果、機構が解除される。
【００１５】
場合によっては、付勢機構は、フレームおよびフリーフロー保護アームとは別個に形成されたバネを含み得、バネは、フレームとフリーフロー保護アームとの間に捕捉される。
【００１６】
場合によっては、フリーフロー防止アームは、アーム端部でフレームにヒンジ式に連結され得る。いくつかのかかる例では、フリーフロー防止アームは、フリーフロー防止アームとフレームとの間に実質的にトルクを与えないヒンジ機構によって、アーム端部でフレームにヒンジ式に連結され得る。
【００１７】
場合によっては、ラッチ機構は、フリーフロー防止アームをフリーフロー許容位置にラッチ留めするように片手で人間工学的に操作可能であり得る。
【００１８】
場合によっては、付勢機構がフリーフロー防止アームをフリーフロー防止位置に付勢することができるように、ラッチ機構は、フリーフロー防止アームをラッチ解除するように片手で人間工学的に操作可能であり得る。
【００１９】
いくつかの例では、フレームは、蠕動チューブを横断し、フリーフロー防止アームにほぼ位置合わせされたスロットを画定し得、それにより、フリーフロー防止アームがフリーフロー防止位置にあるときに、フリーフロー防止アームが蠕動チューブを少なくとも部分的にスロット内に押下し得る。いくつかのかかる例では、フレームは、スロットにまたがるバットレスを含み得、バットレスは、蠕動チューブにほぼ位置合わせされる。バットレスは、ラッチ機構の偶発的なラッチ留めに対する防止手段を提供し得る。
【００２０】
場合によっては、アセンブリは、アセンブリに関連付けられた輸液の特定の経路に関する情報を含む識別子を含み得る。場合によっては、識別子は、検出用に、関連付けられた可視または赤外光波長を提供する着色表面またはタグである。他の場合では、識別子は、ＲＦＩＤタグ、磁気キー、識別ピン構成、またはサイズおよび形状を識別する突起のうちの少なくとも１つを含む。
【００２１】
例示的であるが限定的ではない別の例において、本開示は、アセンブリレセプタクルを有する輸液ポンプを含む輸液ポンプシステム、および輸液ポンプの線形蠕動ポンプ駆動部に対して蠕動チューブを位置決めするように構成された使い捨てアセンブリを提供する。使い捨てアセンブリは、発明の概要の例示的であるが限定的ではない第１の例において前述されるように実質的に構造化および構成され得る。
【００２２】
場合によっては、アセンブリレセプタクルは、少なくとも１つの傾斜面を画定し得、フリーフロー防止アームのラッチ構造の解除キャッチは、輸液ポンプのアセンブリレセプタクル内の傾斜面（複数可）と協働するように構造化され得、それにより、アセンブリがアセンブリレセプタクルに固設されたときに、フリーフロー防止アームがフリーフロー許容位置に向かって移動するにつれて、解除キャッチが傾斜面（複数可）に沿って摺動し、その結果、傾斜面（複数可）によって解除キャッチに及ぼされる力がフリーフロー防止アームを十分撓ませてラッチ機構がフリーフロー許容位置にラッチ留めするのを防止する。
【００２３】
場合によっては、輸液ポンプは、アセンブリレセプタクルへのアクセスを許容または遮断するために開閉し得るレセプタクルドアをさらに含み得る。レセプタクルドアは、フリーフロー保護アーム押出部およびドアラッチレバーであって、アセンブリがアセンブリレセプタクルによって受容され、レセプタクルドアが閉じられたときに、ドアラッチレバーがラッチ解除位置からラッチ留め位置まで移動するにつれて、フリーフロー保護アーム押出部がフリーフロー保護アームをフリーフロー防止位置からフリーフロー許容位置まで押出し得るように動作可能に連結された、フリーフロー保護アーム押出部およびドアラッチレバーを含み得る。
【００２４】
場合によっては、システムは、アセンブリレセプタクルおよび使い捨てアセンブリを有する輸液ポンプを含む。アセンブリレセプタクルは、アセンブリ上の識別子から輸液経路の情報を検出する感知デバイスを含む。ある特定の場合では、感知デバイスは、光センサである。他の場合では、感知デバイスは、ＲＦＩＤ読み取り機、磁気キー読み取り機、およびピン識別子のうちの少なくとも１つを含む。
【００２５】
例示的であるが限定的ではないまた別の例において、本開示は、輸液ポンプの線形蠕動ポンプ駆動部に対して蠕動チューブを位置決めするように構成されたアセンブリを提供する。アセンブリは、蠕動チューブと、フレームと、第１および第２のチューブ支持部と、フリーフロー防止アームとを含み得る。
【００２６】
蠕動チューブは、弾性材料で形成され得、ポンプの線形蠕動ポンプ駆動部による圧縮に好適であり得る。
【００２７】
フレームは、ビームおよびラッチ受けを含み得る。
【００２８】
第１のチューブ支持部は、フレームのビームの第１の端部に位置決めされ得、第２のチューブ支持部は、フレームのビームの第２の端部に位置決めされ得る。第１のチューブ支持部および第２のチューブ支持部は、フレームに対して蠕動チューブの位置を維持するように構成され得る。
【００２９】
フリーフロー防止アームは、アーム端部でフレームに取り付けられ得、かつフレームのラッチ受けと協働するように構成されたラッチ構造を有し得、それにより、ラッチ構造とラッチ受けとが一緒になってラッチ機構を提供する。フリーフロー防止アームは、フリーフロー防止位置とフリーフロー許容位置との間で移動可能であり得る。フリーフロー防止位置では、フリーフロー防止アームとフレームとが蠕動チューブを圧迫閉塞させ得、フリーフロー許容位置では、蠕動チューブが圧迫閉塞されないように、フリーフロー防止アームとフレームとにより、それらの間を蠕動チューブが通過することが可能となり得る。ラッチ機構は、ラッチ留め状態では、フリーフロー防止アームをフリーフロー許容位置に拘束し得る。ラッチ解除状態では、ラッチ機構は、フリーフロー防止アームをフリーフロー許容位置に拘束することはできない。ラッチ機構を、ラッチ留め状態に移動させるように片手で操作することができ、さらにラッチ解除状態に移動させるように片手で操作することができる。
【００３０】
場合によっては、ビームは、ビームから離れて突出するスナップ嵌めタブを含み得、同様に、スナップ嵌めタブに動作可能に連結されたスナップ解除ハンドルを含み得る。スナップ嵌めタブは、アセンブリを輸液ポンプのアセンブリレセプタクルに解除可能に固設するように構成され得る。アセンブリがスナップ嵌めタブを介してアセンブリレセプタクルに固設されたときに、蠕動チューブは、線形蠕動ポンプ駆動部と係合するように位置決めされ得る。スナップ解除ハンドルの操作により、スナップ嵌めタブを解除し、それに伴って、アセンブリをアセンブリレセプタクルから解除することができる。
【００３１】
場合によっては、アセンブリは、輸液ポンプのアセンブリレセプタクルに解除可能に固設されるように構成され得る。フリーフロー防止アームのラッチ構造は、人間の指がフリーフロー防止アームを十分撓ませてラッチ機構をラッチ解除するための滑り止めを提供するように構造化された解除キャッチを含み得る。フリーフロー防止アームのラッチ構造の解除キャッチは、輸液ポンプのアセンブリレセプタクル内の少なくとも１つの傾斜面と協働するように構造化され得、それにより、アセンブリがアセンブリレセプタクルに固設される前に、ラッチ機構がフリーフロー許容位置にラッチ留めされた場合、その後にアセンブリがアセンブリレセプタクルに固設されると、傾斜面（複数可）が、フリーフロー防止アームを十分撓ませるように適切な力を解除キャッチに及ぼすことができ、その結果、ラッチ機構が解除される。
【００３２】
例示的であるが限定的ではない別の例において、本開示は、輸液ポンプの線形蠕動ポンプ駆動部に対して蠕動チューブを位置決めするように構成されたアセンブリを提供する。アセンブリは、蠕動チューブと、第１および第２のチューブカプラと、フレームと、フリーフロー防止アームと、付勢機構とを含む。蠕動チューブは、線形蠕動ポンプ駆動部による圧縮に好適である。第１のチューブカプラおよび第２のチューブカプラは各々、蠕動チューブの両端部に取り付けられている。第１のチューブカプラおよび第２のチューブカプラは各々、蠕動チューブと流体連通する管腔を有する。フレームは、隔置された位置で第１のチューブカプラおよび第２のチューブカプラに連結される。フレームは、輸液ポンプに解除可能に取り付けられるように構成されており、それにより、蠕動チューブが線形蠕動ポンプ駆動部と係合するように位置決めされる。フレームは、指押下面を有するフレームから突出するラッチ受けをさらに含む。フリーフロー防止アームは、アーム端部でフレームにヒンジ式に連結されており、ラッチ受けと協働するようにサイズ決めされたラッチ構造を有する。ラッチ構造は、アームから外方に突出する母指押下面と、母指押下面から隔置された位置に配設された解除キャッチとを含む。フリーフロー防止位置とフリーフロー許容位置との間でフリーフロー防止アームのラッチ受けを選択的にラッチ留めおよびラッチ解除する片手での人間工学的な操作のために、ラッチ受けの指押下面とラッチ構造の母指押下面とは、対向して配設され、かつすぐ近くで動作可能に連結されている。付勢機構は、フレームとフリーフロー保護アームとの間に位置し、フリーフロー防止アームをフリーフロー防止位置に付勢するように構成されている。
【００３３】
場合によっては、フレームは、スナップ嵌めタブとスナップ解除ハンドルとを含む。場合によっては、フレームは、アセンブリに関連付けられた輸液の経路に関する情報を含む識別子を含む。場合によっては、識別子は、検出用に、関連付けられた可視または赤外光波長を提供する着色表面またはタグである。場合によっては、識別子は、ＲＦＩＤタグ、磁気キー、識別ピン構成、および識別用突起のうちの少なくとも１つを含む。
【００３４】
上記の概要は、本開示のそれぞれのおよびあらゆる例またはあらゆる実装例を説明することを意図するものではない。以下の説明は、さまざまな例示的な実施形態をより具体的に例示する。
【図面の簡単な説明】
【００３５】
以下の説明は、図面を参照して読まれるべきである。必ずしも縮尺どおりではない図面は、例を示しており、本開示の範囲を限定することを意図するものではない。本開示は、添付の図面に関連するさまざまな例に関する以下の説明を考慮することにより、より完全に理解され得る。
【００３６】
【図１】蠕動ポンプおよび投与セットを含む蠕動輸液ポンプシステムの例示的な実施形態の概略斜視図である。
【図２】図１の投与セットの例示的なアセンブリの前方概略斜視図である。
【図３】図２のアセンブリの後方概略斜視図である。
【図４】図２のアセンブリの前方概略斜視分解図である。
【図５】図２のアセンブリの後方概略斜視分解図である。
【図６】フリーフロー防止状態のフリーフロー防止アームを示す図２のアセンブリの一部の概略準断面図である。
【図７】フリーフロー許容状態のフリーフロー防止アームを示す図６に例示のアセンブリの部分の概略準断面図である。
【図８】図１のポンプであり得る例示的な蠕動輸液ポンプの一部の概略斜視図であり、特に、ポンプのアセンブリレセプタクルおよびレセプタクルドアの詳細を例示している。
【図９】図８の蠕動輸液ポンプの一部の概略斜視図であり、図２のアセンブリがポンプのアセンブリレセプタクルによって受容される。
【図１０】図８の蠕動輸液ポンプの一部の概略斜視図であり、レセプタクルドアが閉位置にあり、ドアラッチレバーがラッチ解除位置にある。
【図１１】図８の蠕動輸液ポンプの一部の概略斜視図であり、レセプタクルドアが閉位置にあり、ドアラッチレバーがラッチ留め位置にある。
【図１２】図２〜７のものと同様のアセンブリのためのフレームの代替的な実施形態の概略斜視図である。
【図１３】図１のポンプであり得る例示的な蠕動輸液ポンプの一部の概略斜視図の代替的な実施形態であり、特に、ポンプのアセンブリレセプタクルおよびレセプタクルドアの詳細を示している。
【図１４】図２のアセンブリの後方概略斜視図の代替的な実施形態である。
【図１５Ａ−Ｅ】アセンブリの識別または情報のための磁気キーデバイスを利用するポンプの感知デバイスの例である。
【図１６Ａ−Ｄ】アセンブリの識別または情報のためのピン構成識別子を受信するためのポンプの感知デバイスの上面図および斜視図の例である。
【図１７Ａ−Ｃ】アセンブリの識別または情報のためのさまざまな形状およびサイズの突起を受容するためのポンプの感知デバイスの上面図の例である。
【発明を実施するための形態】
【００３７】
以下の説明は、異なる図面における同様の要素を同様の様式で番号付けすることができる図面を参照して読まれるべきである。必ずしも縮尺どおりではない図面は、選択された例を示しており、本開示の範囲を限定することを意図するものではない。さまざまな要素に対して構造、寸法、および材料の例が例示され得るが、提供される例の多くは利用され得る好適な代替物を有することを当業者は理解するであろう。
【００３８】
図１は、蠕動ポンプ１０２と、ポンプ１０２に動作可能に連結されるように構造化および構成された使い捨て投与セット１０４とを含む蠕動輸液ポンプシステム１００の例示的な実施形態の概略斜視図である。図１では、投与セット１０４は、ポンプ１０２に連結されていないものとして示されている。
【００３９】
ポンプ１０２は、筐体１０６と、ポンプ１０２の制御システムまたはコントローラ（図示せず）にコマンドをプロンプトおよび／もしくは中継するため、ならびに／またはコントローラとユーザとの間で通信するための（例えば、ディスプレイスクリーン、キーパッド、オーディオスピーカ、および任意の他の好適なユーザインターフェース構成要素を含み得る）ユーザインターフェース１０８とを含み得る。ユーザインターフェース１０８は、概して、いわゆる「５つの真相」の検証または入力と共に、名前、薬剤情報、限界、送達形状、病院施設に関する情報、ならびにさまざまなユーザ固有のパラメータ（例えば、患者の年齢および／または体重）を含むがこれらに限定されないさまざまなパラメータをユーザが入力することを可能にし得る。ポンプ１０２は、ポンプ１０２とインターフェースするように設計されたソフトウェアを有するネットワークまたはコンピュータ（図示せず）にポンプ１０２を接続するための（ＵＳＢ、Ｅｔｈｅｒｎｅｔ、ＷｉＦｉ、ＮＦＣ、Ｂｌｕｅｔｏｏｔｈ、ＺｉｇＢｅｅ、ＩｒＤＡなどを含むがこれらに限定されない）任意の適切な有線または無線の入出力（Ｉ／Ｏ）インターフェースポートおよび／またはプロトコルポンプを含み得る。
【００４０】
ポンプ１０２へのユーザ入力は、患者、薬剤師、科学者、薬剤プログラム設計者、医療技術者、看護師、医師、または他の認証された医療従事者もしくはヘルスケア提供者などの認証されたユーザによるプログラミングによって提供され得る。ユーザ入力は、示されるような（例えば、キーボード、タッチスクリーン、もしくは他のタッチベースの入力による）直接インターフェースを利用し得、ならびに／またはユーザ入力は、間接的もしくは「タッチレス」インターフェース（すなわち、身振り、音声コマンド、顔の動きもしくは表情、指、手、頭、身体、および腕の動き、またはカメラ、電界センサ、静電容量、もしくは音などの物理的接触を必要としない他の入力）を利用し得る。ユーザ入力は、概して、ユーザインターフェース１０８のオペレータ入力機構によって、インターフェースされ、通信され、感知され、および／または受信され得る。
【００４１】
本開示では、ポンプのコントローラは、任意の好適なコントローラ、マイクロコントローラ、マイクロプロセッサなどであり得る。かかるコントローラは、任意の好適なソフトウェア、ファームウェア、動作パラメータなどを含む任意の好適な容量の任意の好適なメモリなど、その機能に必要な任意の他のハードウェアまたはソフトウェアリソースを含み得、および／または動作可能に連結され得る。コントローラは、ポンプを制御するための任意の好適な動作、タスク、ステップ、および／または方法を実行、コマンド、および／または遂行するように構成され、プログラムされ得る。ポンプは、アプリケーション固有のプロセッサなど、複数の物理的および／または論理的に異なるコントローラを含み得る。本開示では、ポンプの複数のかかるコントローラを集合して、ポンプのコントローラとして単数で参照する場合がある。本明細書の他の箇所で述べられるように、本開示の方法は、ポンプのコントローラによって、および／または場合によっては、別のポンプのコントローラ、ポンプのシステム、サーバ上に実装されたコントローラ、もしくは任意の他の適切なコントローラなど、別のコントローラによって実装されてもよい。このように、本開示における単数形のコントローラに対するいずれの言及も、（単一のコントローラに明示的に限定されない限り）単一の物理的または論理的コントローラに厳密に限定されるものとして解釈されるべきではなく、しかしむしろ、コントローラの機能が１つ以上のコントローラによって提供されるシステムおよび／または方法を含むことができる。
【００４２】
輸液ポンプ１０２への電力は、ＡＣもしくはＤＣ電源コードを介して、または内部に設けられたバッテリ電源（図示せず）から、あるいは任意の他の好適な手段によって提供され得る。実施形態はまた、無線電源（図示せず）を含み得る。
【００４３】
ポンプ１０２は、投与セット１０４のアセンブリ１１４を受容するように構成されたアセンブリレセプタクル１１２と、アセンブリレセプタクル１１２へのアクセスを許容または遮断するために開閉し得るレセプタクルドア１１６とを含み得る。線形蠕動ポンプ駆動部のチューブ係合部材１１８は、アセンブリレセプタクル１１２内に位置し得る。本明細書でさらに詳細に論じられるように、投与セット１０４のアセンブリ１１４は、チューブ係合部材１１８を含む線形蠕動ポンプ駆動部との動作関係でセット１０４の要素を位置決めするように構成および構造化され得る。
【００４４】
投与セット１０４は、ＩＶバッグ１２０または他の輸液剤容器から、最終的に輸液剤（複数可）を患者１２４に送達する輸液セット１２２までの流体経路を提供し得る。本開示は、ＩＶバッグ１２０または他の輸液剤容器および投与セット１０４を指す（それに伴って、１つの容器、１つの輸液剤物質、および１つの投与セットのみを暗示する）が、本明細書の主題は、複数の同じ、類似の、もしくは異なる輸液剤容器、輸液剤、および投与セットを含み得るか、またはこれらに適用可能であり得ることが認識および理解される。投与セット１０４は、アセンブリ１１４に加えて、ＩＶバッグ１２０または他の容器からアセンブリ１１４まで延在し得る上流チューブ類１２６を含み得る。上流チューブ類１２６は、バッグスパイク１２８または他のコネクタで終端し得る。投与セット１０４はまた、アセンブリ１１４から輸液セット１２２まで延在し得る下流チューブ類１３０を含み得る。下流チューブ類１３０は、ルアータイプのコネクタまたは任意の他の好適なコネクタ、例えば、小口径コネクタ規格のＩＳＯ８０３６９シリーズのうちの１つによって企図され、特定され、規定され、または記載されるもののうちの１つなどのコネクタ１３２によって輸液セット１２２または他のカテーテルに流体的に連結され得る。
【００４５】
図２および３はそれぞれ、図１の投与セット１０４のアセンブリ１１４であり得る例示的なアセンブリ２００の前方および後方概略斜視図である。図４および５はそれぞれ、アセンブリ２００の前方および後方概略斜視分解図である。「前方」および「後方」という形容詞は、ポンプ１０２のアセンブリレセプタクル１１２によって受容されたときのアセンブリ２００の向きに対して使用され、アセンブリの後方側はポンプに向かって内方に面し、アセンブリの前方側はポンプから離れて外方に面する。本開示の他の箇所では、「上」、「上部」、「下」、および「下部」などの記述子が使用されることがあり、これらは地球の表面に対するシステム１００およびアセンブリ２００の通常の向きに関するものであると当業者は認識するであろう。本開示の大部分またはすべての図において、アセンブリ１１４およびその構成要素は、それらの上または上部の部分が、それらが印刷またはレンダリングされるページの上側に向いた状態で示されている。
【００４６】
アセンブリ２００は、ポンプ１０２の線形蠕動ポンプ駆動部による圧縮用（および圧縮からの回復）に好適である弾性材料で形成された蠕動チューブ２０２を含み得る。いくつかの実施形態では、蠕動チューブ２０２はシリコーンから形成される。他の実施形態では、ポリ塩化ビニル、ポリウレタン、ラテックスゴム、または任意の他の好適な圧縮可能な弾性材料を使用することができる。蠕動チューブ２０２の両端部で、アセンブリ２００は、第１および第２のチューブカプラ２０４ａ、２０４ｂを含み得る。チューブカプラ２０４ａおよび２０４ｂは、アセンブリ２００の示される例示的な実施形態と同一の構造であり得るが、いくつかの実施形態では、チューブカプラは同一でない場合がある。チューブカプラ２０４ａ、２０４ｂはそれぞれ、蠕動チューブ２０２を図１に示される上流チューブ類１２６および下流チューブ類１３０（ただし、図２〜５および８〜１１には示されていない）に流体的に連結するように機能し得る。チューブカプラ２０４ａ、２０４ｂは、対応するチューブカプラが対応するチューブ／チューブ類に連結されている場合、蠕動チューブ２０２ならびに／または上流チューブ類１２６および下流チューブ類１３０とそれぞれ流体連通し得る（例えば、それぞれ図３および２に示される）管腔２０６ａ、２０６ｂを含み得る。アセンブリ２００の例示的な実施形態では、チューブカプラ２０４ａを上流チューブ類１２６に連結することができ、チューブカプラ２０４ｂを下流チューブ類１３０に連結することができるが、これは限定するものではなく、いくつかの実施形態では、連結の対応を逆にすることができることに留意されたい。
【００４７】
チューブカプラ２０４ａ、２０４ｂは、任意の好適な材料（複数可）から製造または形成され得るか、または別様に当該材料を含み得る。いくつかの実施形態では、チューブカプラ２０４ａ、２０４ｂは、アクリロニトリルブタジエンスチレン（ＡＢＳ）から形成され得る。他の実施形態では、ポリカーボネート、ポリエステル、ポリプロピレン、ポリ塩化ビニル、または任意の他の好適な半硬質材料が使用され得る。
【００４８】
チューブカプラ２０４ａ、２０４ｂは、図４に示されるような、各々の中で摩擦嵌めによって蠕動チューブ２０２の内部表面を受容し、そこに係合するように寸法決めされた蠕動チューブ受容部２０８ａ、２０８ｂを含み得る。蠕動チューブ２０２は、蠕動チューブ受容部２０８ａ、２０８ｂの周りに嵌めるように、伸展されてもよいし、別様に拡張されてもよい。蠕動チューブ２０２と蠕動チューブ受容部２０８ａ、２０８ｂとの間の嵌めにより、チューブ２０２とチューブカプラ２０４ａ、２０４ｂとの間に流体シールが生じることがある。蠕動チューブ２０２および蠕動チューブ受容部２０８ａ、２０８ｂの相対寸法は、かかるシールに影響を与えるように選択され得る。いくつかの実施形態では、蠕動チューブ２０２および蠕動チューブ受容部２０８ａ、２０８ｂを取り付けるために接着剤または他の結合剤を使用することができるが、これは必須ではない。いくつかの実施形態では、アセンブリ中に膨張剤または潤滑剤を使用することができる。反対側の蠕動チューブ受容部２０８ａ、２０８ｂ、管腔２０６ａ、２０６ｂは、上流チューブ類１２６および下流チューブ類１３０を受容するように寸法決めされてもよく、カプラおよびチューブ類を接着または別様に結合することができる。チューブカプラ２０４ａ、２０４ｂと、蠕動チューブ２０２ならびに／または上流チューブ類１２６および下流チューブ類１３０との間の連結を提供するためのこれらの方法は、限定するものとして解釈されるべきではなく、他の実施形態では、他の配置および変形が可能である。
【００４９】
図２〜５に示されるように、アセンブリ２００は、チューブカプラ２０４ａ、２０４ｂを受容し、それによってチューブカプラに連結されたときに、フレーム２１０に対して実質的に画定された位置で蠕動チューブ２０２を実質的に保持するように構成されたフレーム２１０を含み得る。フレーム２１０は、第１のビーム２１２を含み得、同様に第１のビーム２１２に実質的に平行である第２のビーム２１４を含み得る。実質的に平行な第１のビーム２１２および第２のビーム２１４は、実質的に第１の平面（図示せず）内にあるか、または第１の平面を画定し得る。この非限定的な例では、示されるように、ビーム２１２、２１４のいずれかまたは両方が「Ｌ」字形であり得るが、これはすべての実施形態では必須ではない。「Ｌ」字形の場合、「Ｌ」の一方の脚は第１の平面内に横たわり、「Ｌ」の他方の脚は第１の平面に垂直であり得る。
【００５０】
第１の端部において、フレーム２１０は、第１および第２のビーム２１２、２１４を結合する第１の端部プレート２１６を含み得、第１の端部プレート２１６は、実質的に第１および第２のビーム２１２、２１４の第１の平面内にある。第２の端部において、フレーム２１０は、第１および第２のビーム２１２、２１４を結合する第２の端部プレート２１８を含み得、第２の端部プレート２１８は、実質的に第１および第２のビーム２１２、２１４の第１の平面内にある。第１の端部プレート２１６および第２の端部プレート２１８は各々、対応するチューブカプラ２０４ａ、２０４ｂを受容するように構成された（それぞれ、例えば、図５において可視である）チャネル２２０ａ、２２０ｂを画定し得る。
【００５１】
第１の端部プレート２１６および第２の端部プレート２１８に対応して、アセンブリ２００は、端部プレート２１６、２１８と協働して、チューブカプラ２０４ａ、２０４ｂをフレーム２１０に連結するように構造化および構成された第１の固設プレート２２４ａおよび第２の固設プレート２２４ｂをそれぞれ含み得る。第１および第２の端部プレート２１６、２１８と同様に、第１および第２の固設プレート２２４ａ、２２４ｂは各々、対応するチューブカプラ２０４ａ、２０４ｂを受容するように構成された（それぞれ、例えば、図４において可視である）チャネル２２６ａ、２２６ｂを画定し得る。
【００５２】
フレーム２１０（端部プレート２１６、２１８含む）ならびに固設プレート２２４ａおよび２２４ｂは、任意の好適な材料（複数可）から製造もしくは形成され得るか、または別様にこれらを含み得る。いくつかの実施形態では、これらの構成要素は、アクリロニトリルブタジエンスチレン（ＡＢＳ）から形成され得る。他の実施形態では、ポリカーボネート、ポリエステル、ポリプロピレン、ポリ塩化ビニル、または任意の他の好適な半硬質材料が使用され得る。
【００５３】
第１および第２の端部プレート２１６、２１８は、第１および第２の固設プレート２２４ａ、２２４ｂにそれぞれ嵌合され得、第１および第２のチューブカプラ２０４ａ、２０４ｂは、端部プレートと固設プレートとの嵌合された対応する各対の間に位置決めされるか、もしくは保持される（または口語的に「挟まれる」）。任意の好適な構造および／または手段を使用して、嵌合時に端部プレートと固設プレートとの対を保持することができる。示される例示的なアセンブリ２００では、端部プレート２１６、２１８および固設プレート２２４ａ、２２４ｂを超音波溶接によってそれぞれ結合することができる。端部プレート２１６、２１８および固設プレート２２４ａ、２２４ｂは、超音波溶接を容易にする特徴を有するように構造化および構成され得る。例えば、固設プレート２２４ａ、２２４ｂは、超音波溶接エネルギーディレクタを含み得る（図４において可視の）バー２３０を含み得、端部プレート２１６、２１８は、バー２３０を受容するように寸法決めされ、位置決めされた（図５において可視の）スロット２３２を含み得る。このアセンブリ２００の例に示されるように、各固設プレート２２４ａ、２２４ｂは、形状が実質的に同一である４つのバー２３０を含み、各端部プレート２１６、２１８は、同様に形状が実質的に同一の４つのスロット２３２を含むが、すべてのバーおよびスロットの形状が同じである必要はなく、プレートの各対に必要なバー／スロットの数も４つである必要はない。超音波溶接構成要素の数、位置、および形状の変化が可能である。いくつかの実施形態では、超音波溶接構成要素の非対称性を使用して、固設プレート２２４ａ、２２４ｂの端部プレート２１６、２１８への誤った向きの取り付け（例えば、逆さま、逆転など）を防止することができる。図２、３、４、および５の実施形態を含むいくつかの実施形態では、固設プレート２２４ａ、２２４ｂは、製造、在庫、アセンブリ、および／または性能にとって有利であり得る本質的に同じまたは同一の構造を有し得る。
【００５４】
いくつかの実施形態では、超音波溶接以外のまたはそれに加えて、固設プレートと端部プレートとの対を一緒に保持するための方法、材料、および／または手段を使用することができる。場合によっては、スナップ留め具、ネジ、リベット、摺動式留め具、クリップ、接着剤、熱かしめ、溶剤溶接、または任意の他の好適な取り付け技術を用いることができる。
【００５５】
示される例示的なアセンブリ２００では、プレートの対が嵌合される前に、（図４および５のように）固設プレート２２４ａ、２２４ｂが端部プレート２１６、２１８に構造的に取り付けられていない場合があるが、他の構成も可能である。図１２は、ヒンジ１２３４ａ、１２３４ｂを介して対応する固設プレート１２２４ａ、１２２４ｂにヒンジ式に取り付けられた端部プレート１２１６、１２１８を有するフレーム１２１０の代替的な実施形態の概略斜視図である。ヒンジ１２３４ａ、１２３４ｂは、薄く柔軟な要素であり得、フレーム１２１０、固設プレート１２２４ａ、１２２４ｂ、およびヒンジを、射出成形プロセスで単一片として一緒に製造することができる。これは、フレームと、ヒンジ式に取り付けられているが嵌合はされていない固設プレートとがどのように提供され得るかの一例に過ぎない。かかる配置は、製造、在庫、アセンブリ、および／または性能にとって有利であり得る。
【００５６】
再び図２および以下の項目を参照すると、アセンブリ２００が組み立てられる（蠕動チューブ２０２がチューブカプラ２０４ａ、２０４ｂに連結され、端部プレート２１６、２１８と固設プレート２２４ａ、２２４ｂとが嵌合された対の間にチューブカプラが位置決めされた状態）と、各端部のチューブカプラとプレートとの間で各端部において、蠕動チューブ２０２を圧縮することができる。チューブカプラ２０４ａ、２０４ｂと、端部プレート２１６、２１８と、固設プレート２２４ａ、２２４ｂとの間の蠕動チューブ２０２の圧縮により、チューブとチューブカプラとの間の流体シールを強化することができる。これらの構成要素の寸法は、かかるシールに影響を与えつつ、材料を損傷し得、および／または超音波溶接を困難にし得る過圧縮などの問題を回避するように選択され得る。
【００５７】
フレーム２１０の端部プレート２１６、２１８、固設プレート２２４ａ、２２４ｂ、およびチューブカプラ２０４ａ、２０４ｂは、これらの組み立てられたときの位置関係を、協働して画定するか、または実質的に拘束し得るさらなる特徴を含み得る。端部プレート２１６、２１８および固設プレート２２４ａ、２２４ｂは、チャネル２２０ａ、２２０ｂ、２２６ａ、２２６ｂ内に延在するアークまたはリッジ２３６を画定し得る。チューブカプラ２０４ａ、２０４ｂは、リッジ２３６に対応する周方向スロット２３８を画定し得、それにより、固設プレート２２４ａ、２２４ｂが、それらの間に位置決めまたは保持されたチューブカプラ２０４ａ、２０４ｂによって端部プレート２１６、２１８に嵌合されたときに、スロット２３８に対するリッジ２３６の機械的対応が、実質的に端部プレート２１６、２１８および固設プレート２２４ａ、２２４ｂに対してチューブカプラ２０４ａ、２０４ｂを並進的に拘束し得、同様に実質的に回転運動を拘束し得る。蠕動チューブ２０２に位置合わせされた縦軸を中心とする回転が「ロール」と定義された場合、直交軸を中心とする「ピッチ」および「ヨー」回転は、スロット２３８に対するリッジ２３６の機械的対応によって実質的に拘束され得る。端部プレート２１６、２１８および固設プレート２２４ａ、２２４ｂに対するチューブカプラ２０４ａ、２０４ｂの「ロール」タイプの回転は、超音波溶接によって実質的に拘束され得るが、これに限定されず、他の手段を使用して、機械的なキーイングまたは接着結合などによりロールを拘束することができる。端部プレート２１６、２１８のチューブカプラ２０４ａ、２０４ｂへの超音波溶接を容易にするために、エネルギーディレクタ２４０を固設プレート２２４ａ、２２４ｂ上に設けることができる。チューブカプラ２０４ａ、２０４ｂは、縦軸を中心に実質的に回転対称であり得る。かかる実質的な対称性は、アセンブリ２００の（本明細書の他の箇所で論じられる）組み立てを単純化し得る。
【００５８】
チューブカプラ２０４ａ、第１の端部プレート２１６、および第１の固設プレート２２４ａは、集合的に第１のチューブ支持部として考慮され得、チューブカプラ２０４ｂ、第２の端部プレート２１８、および第２の固設プレート２２４ｂは、集合的に第２のチューブ支持部として考慮され得、かかるチューブ支持部は、フレーム２１０およびアセンブリ２００に対して蠕動チューブ２０２の位置を実質的に維持するように構成されている。他の実施形態では、他のハードウェア構成を用いて、フレームおよびアセンブリに対して蠕動チューブの位置を実質的に維持するように構成されたチューブ支持体を提供することができる。示されていないが、単なる一例として、チューブカプラが固設プレートなしで端部プレートなどに固設される配置が企図され得る。
【００５９】
アセンブリ２００の構成要素は、アセンブリ２００が組み立てられ、製造され、または別様に生産されたときに、蠕動チューブ２０２がフレーム２１０に対して適所に維持されるように構造化および寸法決めされ得、その結果、本質的にチューブカプラ２０４ａと２０４ｂとの間（または、代替的に記載される第１のチューブ支持体と第２のチューブ支持体との間）でまっすぐに保持される。これは、本明細書の他の箇所でさらに詳細に記載されるように、アセンブリ２００がポンプ８００に嵌合されるかまたはそこに設置されたときに、チューブ２０２と相互作用するポンプ８００およびポンプ８００の構成要素に対して、チューブ２０２が適切に位置決めされ、位置合わせされることを確実にするのに役立つ場合がある。蠕動チューブ２０２の長さは、この本質的にまっすぐな位置決めを達成するための公差で特定され得る。最大公差でのチューブ２０２の長さは、アセンブリ２００に組み立てられたときに、本質的にチューブにたるみや座屈がないようなものであり得る。最小公差など、最大公差未満の長さでは、蠕動チューブ２０２を、チューブカプラ２０４ａと２０４ｂの間（第１のチューブ支持体と第２のチューブ支持体との間）にわずかに張られた少量の張力でアセンブリ２００に組み立てることができる。
【００６０】
図２および以下の項目を参照すると、アセンブリ２００は、蠕動チューブ２０２を通る輸液剤のフリーフローを選択的に防止する特徴を含み得る。アセンブリ２００は、アーム端部２４８でフレーム２１０に連結され得、ラッチ構造２５０を含み得るフリーフロー防止（ＦＦＰ）アーム２４６を含み得る。アーム２４６は、例えば、図５に示されるように、アーム端部２４８の１つ以上のヒンジピン２５２（例えば、図４では２つが示されている）およびフレーム２１０のヒンジ受け２５４を介してフレーム２１０にヒンジ式に連結され得、ヒンジ受け２５４は、１つ以上のヒンジピン２５２に対応する１つ以上のソケットを有する。示される例示的なアセンブリ２００では、ヒンジ受け２５４は、第１の端部プレート２１６の一部であるかまたはその近位にあるが、これに限定されず、いくつかの実施形態では、ＦＦＰアーム２４６のフレーム２１０上の他の位置が可能である。ヒンジピン（複数可）２５２およびヒンジ受け２５４を含むＦＦＰアーム２４６のヒンジ機構が提供され得、それにより、ヒンジ機構はトルクを与えず、および／または回転付勢は実質的にＦＦＰアーム２４６とフレーム２１０との間に生じない。他の実施形態では、実質的にトルクのないヒンジ機構の他の設計が企図され、当該設計を使用してＦＦＰアームをフレームに連結することができる。
【００６１】
ＦＦＰアーム２４６は、任意の好適な材料（複数可）から製造または形成され得るか、または別様に当該材料を含み得る。いくつかの実施形態では、ＦＦＰアーム２４６は、アアクリロニトリルブタジエンスチレン（ＡＢＳ）から形成され得る。他の実施形態では、ポリカーボネート、ポリエステル、ポリプロピレン、ポリ塩化ビニル、または任意の他の好適な半硬質材料が使用され得る。
【００６２】
ＦＦＰアーム２４６は、フリーフロー防止位置とフリーフロー許容位置との間でフレーム２１０に対して選択的に移動可能であり得る。これらの位置の例は、図２の線Ａ−Ａによって示される、ＦＦＰアーム２４６においてアセンブリを通って切断された断面におけるアセンブリ２００の一部の概略準断面図である図６および７にそれぞれ示されている。（図は真の断面図ではなく、部分切断よりも遠いアセンブリの一部が図内で視覚的にレンダリングされている）。図６では、ＦＦＰアーム２４６は、アーム２４６とフレーム２１０とが協働して、アーム２４６とフレーム２１０との間の比較的狭い空間２５６内で蠕動チューブ２０２を圧迫閉塞させることができるフリーフロー防止位置に示されている。（図２および３では、ＦＦＰアーム２４６もフリーフロー防止位置に示されている）。図７では、ＦＦＰアーム２４６は、フリーフロー許容位置に示されており、その中において、アーム２４６およびフレーム２１０は、それらの間に蠕動チューブ２０２を、チューブ２０２が圧迫閉塞されないように、アーム２４６とフレーム２１０との間の（空間２５６と比較して）比較的幅広の空間２５７で、通過させるように相対的に位置決めされ得る。
【００６３】
引き続き図６および７を参照すると、アセンブリ２００は、ＦＦＰアーム２４６をフリーフロー防止位置に付勢するように構成された付勢機構を含み得る。アセンブリ２００は、例えば、アーム２４６をフリーフロー防止位置に付勢する力をフレーム２１０およびＦＦＰアーム２４６に及ぼし得るバネ２５８を含み得る。バネ２５８は、金属コイルバネなどの任意の好適なバネであり得る。バネ２５８は、フレーム２１０およびＦＦＰアーム２４６とは別個に形成され得る。バネ２５８は、フレーム２１０とＦＦＰアーム２４６との間に捕捉され得る。フレーム２１０は、バネポケット２５９内でバネ２５８の一部を受容し、ＦＦＰアーム２４６は、示されるように、バネピン２６１でバネ２５８を実質的に保定し得る。
【００６４】
付勢機構の他の構成が可能である。別の実施形態では、付勢力は、フレームと一体的に形成されているが、ＦＦＰアームとは別個に形成されているか、またはフレームではなくＦＦＰアームと一体的に形成されている（板バネなどであるが、これに限定されない）弾性要素によって提供され得る。別の実施形態では、付勢力は、磁石の好適な配置によって提供され得る。
【００６５】
本明細書には示されていないが、別の実施形態では、ＦＦＰアームは、示されるアセンブリ２００内のような、ピン（複数可）２５２およびソケット式ヒンジ受け２５４の配置ではなく、非回転または剛性接続を介してフレームに連結され得、ＦＦＰアームの撓みによって提供される「ヒンジ」は、フリーフロー防止位置と許容位置との間のアームの弾性変形を可能にし、かかる撓みはまた、フリーフロー防止位置に向かう付勢力を提供する。
【００６６】
例えば、図５に示されるように、フレーム２１０は、蠕動チューブ２０２の縦軸を横断し、ＦＦＰアーム２４６にほぼ位置合わせされたスロット２７２を画定し得る。ＦＦＰアーム２４６がフリーフロー防止位置にあるとき、アーム２４６は、蠕動チューブ２０２を少なくとも部分的にスロット２７２内に押下し得る。チューブ２０２がＦＦＰアーム２４６とフレーム２１０との間で圧迫閉塞されると、チューブ２０２は、より具体的には、アーム２４６と、スロット２７２を画定するフレーム２１０の一方または両方の縁部との間で圧迫され得る。スロット２７２は、ＦＦＰアーム２４６がアーム２４６の典型的な動作範囲を中心に自由に（すなわち、アーム２４６と干渉しないように）移動することを可能にするような寸法決めされ得る。
【００６７】
例えば、図４に示されるように、フレーム２１０は、スロット２７２にまたがるバットレス２７４を含み得る。バットレス２７４は、蠕動チューブ２０２の縦軸にほぼ位置合わせされ得る。バットレス２７４は、スロット２７２の周りでフレーム２１０の一部を補強または硬化させ、本明細書の他の箇所に記載される他の機能を提供し得る。バットレス２７４は、ＦＦＰアーム２４６が蠕動チューブ２０２をフレーム２１０およびスロット２７２に向かって押下し得る側面とは反対のフレーム２１０の側面上に位置し得る。バットレス２７４は、（例えば、図２に示され、同様に本明細書の他の箇所にさらに記載されるように）ＦＦＰアーム２４６の母指押下面２６６と同じ、フレーム２１０の側面上に位置し得る。バットレス２７４は、（例えば、図２に示され、同様に本明細書の他の箇所にさらに記載されるように）スナップ解除ハンドル２７８と同じ、フレーム２１０の側面上に位置し得る。
【００６８】
引き続き図６および７を参照すると、フレーム２１０は、ＦＦＰアーム２４６のラッチ構造２５０と協働するように構成されたラッチ受け２６０を含み得、それにより、ラッチ受け２６０とラッチ構造２５０とが一緒になってＦＦＰアーム２４６のラッチ機構を提供する。本明細書でさらに記載されるように、ラッチ機構は、ＦＦＰアーム２４６をフリーフロー許容位置（図７に示す）にラッチ留めするように（場合によっては、片手で）人間工学的に操作可能であるように構造化され得、ＦＦＰアーム２４６をフリーフロー防止位置（図６に示す）にラッチ解除するように（場合によっては片手で）人間工学的に操作可能であるように構造化され得る。ラッチ機構は、ラッチ留め状態（図７）およびラッチ解除状態（図６）の２つの状態を有するものとして考えることができる。ラッチ留め状態では、ラッチ構造２５０は、ラッチ受け２６０のラッチ面２６２に当接し得、その結果、それによって、ＦＦＰアーム２４６は本質的に、図７に示されるように、比較的幅広の空間２５７に対応する位置に拘束される。ラッチ解除状態では、ラッチ構造２５０は、それがラッチ面２６２に当接するのではなく、構造２５０がラッチ受け２６０の摺動面２６４に摺動可能に当接し得るように位置決めされ得る。図６に示されるように、ラッチ解除状態では、バネ２５８によって提供されるような付勢力が、存在する場合には、比較的狭い空間２５６に対応するフリーフロー防止位置に向かってＦＦＰアーム２４６を付勢し得る。摺動面２６４は、ラッチ構造２５０との相互作用によって、フリーフロー防止位置に向かうＦＦＰアーム２４６の動作を（妨害するのではなく）助ける抜き勾配で構造化され得る。
【００６９】
ラッチ機構の人間工学的操作の可能性に関して、ＦＦＰアーム２４６のラッチ構造２５０は母指押下面２６６を含み得、ラッチ受け２６０は指押下面２６８を含み得る。「母指」押下２６６および「指」押下２６８と呼ばれるが、この命名法は限定的であると考慮されるべきではなく、押下２６６および２６８を母指および指以外でそれぞれ操作することができる。しかしながら、ラッチ機構を片手の母指と示指とで操作するのが一般的な使用シナリオであり得ることが予想される。図６および７に示されるように、ラッチ受け２６０の指押下面２６８とラッチ構造２５０の母指押下面２６６とは、対向して配設される様式に向けられている。示されるように、バネ２５９によって分離されたラッチ構造２５０とラッチ受け２６０との対向する相互作用は、指押下面２６８と母指押下面２６６とがすぐ近くで互いに動作可能に連結される配置を提供する。母指押下面２６６および指押下面２６８を操作し、面２６８を面２６６に向かって手動で圧迫するかまたは推進させることによって、ラッチ機構を比較的簡単に、かつ人間工学的にラッチ状態に推進させることができる。ラッチ留め状態へのラッチ機構の意図しないまたは偶発的な移動に対する手段として、バットレス２７４は、アセンブリ２００の前方側の物体が母指押下面２６６またはＦＦＰアーム２４６の他の部分に押下されるのを防止するのに役立つ防止手段として作用し、それによって、ラッチ機構の偶発的なラッチ留めに対する防止手段を提供し得る。
【００７０】
ラッチ機構はまた、その機構をラッチ留め状態から解除するか、またはＦＦＰアーム２４６をラッチ解除するように比較的簡単に、かつ人間工学的に操作され得、それにより、ラッチ機構を（例えば、バネ２５８の付勢力によって）フリーフロー防止位置まで移動することができる。かかる解除操作を助けるために、ＦＦＰアーム２４６のラッチ構造２５０は、（例えば）指先がラッチ構造２５０をラッチ面２６２から解除する（または口語的に「フックを解除する」）力を及ぼし得る解除キャッチ２７０を含み得る。解除キャッチ２７０は、その上に、人間の指がＦＦＰアーム２４６を十分撓ませてラッチ機構をラッチ解除するための滑り止めまたは好適な面を提供するように構造化され得る。解除キャッチ２７０は、示される実施形態では、ＦＦＰアーム２４６の片側または両側（すなわち、フレーム２００に対してアーム２４６の動作面に垂直）に延在し、「Ｔ」字のクロスバーにいくらか類似した１つ以上の側部延長部を含み得る。
【００７１】
ラッチ留め状態（図７に示す）からラッチ機構を解除し得る人間工学的操作の非限定的な例では、ユーザは、母指押下面２６６および／またはバットレス２７４の上に母指を置き、指先（例えば、母指と同じ手の示指の先端）を解除キャッチ２７０の上に置くことができる。図７および６の両方を参照すると、母指押下面２６６および／またはバットレス２７４に対して母指を固定または保持しながら、ユーザは概して母指に向かって（すなわち、図６の右側に）力を及ぼすことができる。かかる操作の下で、ＦＦＰアーム２４６のある程度の撓みにより、ラッチ構造２５０がもはやラッチ面２６２に当接しないように、（上方に、図６の上に向かって）移動することを可能にし得る。この拘束を除去または最小限に抑えることにより、ＦＦＰアーム２４６を、例えば、バネ２５８の付勢力の影響下で、図６のフリーフロー防止位置に移動させることができ、それに伴って、蠕動チューブ２０２が圧迫閉塞される。記載される操作を同じ手の示指と母指とを用いて遂行する場合、それらのかかる操作中に、同じまたは別の手の追加の指を使用して、アセンブリ２００をさらに固定または支持することができる。いくつかの実施形態では、アセンブリ２００のラッチ機構を、別の手を使用することなく、ユーザが片手で容易に解除することができることが観察されている。本明細書の他の箇所でさらに記載するように、アセンブリ２００のラッチ機構はまた、アセンブリ２００を輸液ポンプと連結すると容易に解除され得る。
【００７２】
図８は、蠕動輸液ポンプシステム１００のポンプ１０２であり得る蠕動輸液ポンプ８００の一部の概略斜視図であり、特に、（一実施形態では、図１のアセンブリレセプタクル１１２およびレセプタクルドア１１６にそれぞれ対応する）ポンプのアセンブリレセプタクル８１２およびレセプタクルドア８１６の詳細を示している。アセンブリレセプタクル８１２は、投与セット１０４のアセンブリ２００を受容するように構成され得、その結果、それによって、投与セット１０４は、ポンプ８００に動作可能に連結される。図９は、図８の蠕動輸液ポンプ８００の一部の概略斜視図であり、アセンブリ２００は、アセンブリレセプタクル８１２によって受容されるか、またはその中に設置される。図８および９では、ポンプ８００のレセプタクルドア８１６は開位置にある。
【００７３】
アセンブリ２００のフレーム２１０は、（図８に示されるように）アセンブリレセプタクル８１２のスナップ嵌め開口部８２０にしっかりと解除可能に取り付けられるように構成されたスナップ嵌めタブ２７６（図２、３、４、５参照）を含み得、その結果、それによって、アセンブリ２００は、アセンブリレセプタクル８１２に解除可能に固設され、したがってそれによって、投与セット１０４は、ポンプ８００に動作可能に連結され得る。スナップ嵌めタブ２７６は、フレーム２１０の第１のビーム２１２と一体的に形成されるかまたは別様に提供され、第１のビーム２１２および第２のビーム２１４の第１の平面から離れて、第１の平面に実質的にまたはほぼ垂直であり得る第１の方向に突出し得る。スナップ解除ハンドル２７８（再度、図２、３、４、５参照）は、第１のビーム２１２と一体的に形成されるかまたは別様に提供され得、解除ハンドル２７８はタブ２７６に動作可能に連結される。解除ハンドル２７８は、第１の平面から離れて、第１の方向とほぼ反対の第２の方向に突出し得るが、他の構成も可能である。示されるように、第１のビーム２１２は、ビームの狭小化および／またはビームを複数のサブビームとして構造化するなど、ビーム２１２の他の部分に対してタブ２７６およびハンドル２７８に可撓性を提供する特徴を組み込むことができる。
【００７４】
スナップ解除ハンドル２７８およびスナップ嵌めタブ２７６は、ハンドル２７８の定義された操作により、アセンブリレセプタクル８１２のスナップ嵌め開口部８２０に対してタブ２７６を移動させることができるように構造化され得、それにより、タブ２７６は開口部８２０から解除可能であり、したがってそれによって、アセンブリ２００はアセンブリレセプタクル８１２から解除可能である。定義された操作は、例えば、アセンブリレセプタクル８１２のスナップ嵌め開口部８２０に対して下方方向にスナップ解除ハンドル２７８を押下または別様に移動させることであり得、これは、ハンドル２７８とタブ２７６とが一緒に第１のビーム２１２に対して可撓的に回転するにつれて、スナップ嵌めタブ２７６がレセプタクル８１２の開口部８２０に対して上方に移動することをもたらし得る。アセンブリレセプタクル８１２のスナップ嵌め開口部８２０に対するスナップ嵌めタブ２７６の上方への移動は、それによってタブ２７６が開口８２０から解除されるようなものであり得る。加えて、スナップ嵌めタブ２７６は、スナップ嵌め開口部８２０からの解除が、必ずしもスナップ解除ハンドル２７８を操作する必要がないように構成されてもよい。例えば、いくつかの例では、アセンブリレセプタクル８１２からのアセンブリ２００の解除は、ポンプ８００からチューブ類（上流チューブ類１２６および／または下流チューブ類１３０など）を引き離すことによって達成され得る。スナップ嵌めタブ２７６の構造上の構成は、それを、かかるシナリオに存在する力の下で、スナップ嵌め開口部８２０から解除することを可能にする。
【００７５】
スナップ嵌めタブ２７６およびスナップ嵌め開口部８２０を介してアセンブリ２００をアセンブリレセプタクル８１２に解除可能に固設し、それによって投与セット１０４をポンプ８００に可逆的に動作可能に連結するための前述の配置は、投与セットを輸液ポンプに連結させるための他の既知のスキームと比較して、人間工学および使いやすさの点で著しい改善となり得る。例示的な操作では、ユーザは、スナップ解除ハンドル２７８を介して片手の２つの指（例えば、母指および示指）を用いてアセンブリ２００を容易に把持し、アセンブリ２００をポンプ８００のアセンブリレセプタクル８１２まで移動させ、アセンブリ２００のスナップ嵌めタブ２７６をポンプ８００のスナップ嵌め開口部８２０の中に押下することによって、アセンブリ２００をレセプタクル８１２に固設することができる。この配置では、ユーザは、アセンブリ２００の特徴と、輸液ポンプシステム１００の動作のために必要なまたは望ましいアセンブリレセプタクル８１２の対応する特徴との位置合わせを達成するために、スナップ嵌めタブ２７６をスナップ嵌め開口部８２０に位置合わせするだけでよい（かかる位置合わせを本明細書の他の箇所でさらに記載する）。アセンブリ２００をアセンブリレセプタクル８１２から除去するために、ユーザは、スナップ解除ハンドル２７８を人間工学的に下に押下することができ、これにより、スナップ嵌めタブ２７６を上方に移動させて、スナップ嵌め開口部８２０との係合から外し、次いで２つの指で人間工学的にアセンブリ２００をレセプタクル８１２から引き離すことができる。
【００７６】
アセンブリ２００およびアセンブリレセプタクル８１２は、アセンブリ２００をレセプタクル８１２に（したがって同様に、例えば、投与セット１０４をポンプ１０２に）誤って挿入したり、連結したり、または取り付けたりする試みから生じる可能性がある有害な結果を防止するための特徴を含み得る。例えば、ユーザが誤ってスナップ解除ハンドル２７８をスナップ嵌め開口部８２０の中に挿入しようとする場合（アセンブリ２００が前後に、すなわち、ポンプ８００に対して「後方に」逆転した状態）、ハンドル２７８および開口部８２０の物理的寸法を、かかる誤った挿入の試みを干渉および防止するように設計することができる。また、防止すべき潜在的なエラーは、チューブ２０２を通る輸液剤の意図しないフリーフローをもたらし得る、母指押下面２６６またはＦＦＰアーム２４６の任意の他の部分の意図しない窪みである。アセンブリ２００およびアセンブリレセプタクル８１２は、レセプタクル８１２へのアセンブリ２００の後方配置が試みられると、かかる誤った状態が発生する前に、アセンブリ２００および／またはレセプタクル８１２の他の要素が干渉し得るように構造化され得る。本明細書の他の箇所で述べられるように、バットレス２７４は、ＦＦＰアーム２４６との意図しない接触を防止し得る。アセンブリ２００は、アセンブリレセプタクル８１２に連結するときに、アセンブリ２００の適切な向きにユーザを仕向けるための視覚的合図を含み得る。これは、テキストおよび／またはロゴ（複数可）（例えば、図２〜５に示される、例えば、第２のビーム２１４上の「ｓｍｉｔｈｓ  ｍｅｄｉｃａｌ」、第１のビーム２１２上の指向性矢印、および母指押下面２６６上の涙滴形状）を含み得る。いくつかの実施形態（図示せず）では、ポンプ８００のレセプタクル８１２などのアセンブリレセプタクルは、前述の指向性矢印および「ｓｍｉｔｈｓ  ｍｅｄｉｃａｌ」のロゴなど、アセンブリ２００の視覚的合図に対応する視覚的合図を含み得る。
【００７７】
アセンブリ２００がポンプ８００内でアセンブリ２００のスナップ嵌めタブ２７６およびレセプタクル８１２のスナップ嵌め開口部８２０を介してアセンブリレセプタクル８１２に固設されたときに、アセンブリ２００の蠕動チューブ２０２が、ポンプ８００の線形蠕動ポンプ駆動部のチューブ係合部材８１８と係合するように位置決めされ得る。チューブ係合部材８１８（図８および９の示される例では１２個の部材であるが、これに限定されない）を、ポンプ８００の線形蠕動ポンプ駆動部（図示せず）の要素によって協調した様式で駆動させ、それによって、輸液剤を、蠕動チューブ２０２を圧迫して通し、それに伴って応答可能に、図１に示される輸液システム１００の（限定はされないが）上流チューブ類１２６および下流チューブ類１３０などに流体的に接続された他のチューブまたはラインを通して、促進、押出、または輸送することができる。
【００７８】
例えば、図２に示されるように、アセンブリ２００のフレーム２１０は、第１のビーム２１２から第２のビーム２１４にまたがり得る上流クロス支持部２８０および下流クロス支持部２８２など、蠕動チューブ２０２の所望の部分を維持するのを補助するための構造をさらに含み得る。各クロス支持部２８０、２８２は、蠕動チューブ２０２を優しく支えるか、または別様に支持するように保持するための湾曲部を含み得る。アセンブリ２００がポンプ８００内のアセンブリレセプタクル８１２に固設されたときに、クロス支持部２８０、２８２はまた、ポンプ８００のチューブ係合部材８１８に対する蠕動チューブ２０２の適切な位置を維持するのを補助し得、それにより、部材８１８は効果的にチューブ２０２に係合することができる。
【００７９】
第１のビーム２１２、第２のビーム２１４、上流クロス支持部２８０、および下流クロス支持部２８２は、フレーム２１０のポンプチューブ開口部または「ウィンドウ」２８４を画定、包囲、または制限し得る。ポンプチューブウィンドウ２８４は、その内部に蠕動チューブ２０２の一部以外、アセンブリ２００のいずれの構造も実質的に有さないことがあり、概して、アセンブリ２００がポンプ８００のアセンブリレセプタクル８１２に固設されたときにポンプ８００のチューブ係合部材８１８がチューブ２０２に係合し得る領域に対応し得る。図８に示されるように、ポンプ８００のレセプタクルドア８１６は、（本明細書の他の箇所でさらに詳細に記載されるように）ドア８１６が閉じられて固設されたときに、チューブ２０２に沿ってチューブ係合部材８１８のほぼ反対側に位置決めされ得る圧力プレート８２６を含み得、それにより、チューブ２０２は圧力プレート８２６とチューブ係合部材８１８との間に位置する。かかる構成にある場合、ポンプ８００およびアセンブリ２００は、例示的な実施形態では、チューブ係合部材８１８および圧力プレート８２６が実質的にフレーム２１０に接触しないように構造化され得る。
【００８０】
例えば、図２に示されるように、フレーム２１０の一部は、ポンプ８００の構成要素が蠕動チューブ２０２に係合し得る他の領域に対応し得るさらなるウィンドウまたは開口部を画定、包囲、または制限し得る。例えば、第１のビーム２１２、第２のビーム２１４、上流クロス支持部２８０、および第１の端部プレート２１６は、フレーム２１０の上流センサ開口部または「ウィンドウ」２８６を画定、包囲、または制限し得、第１のビーム２１２、第２のビーム２１４、下流クロス支持部２８２、および第２の端部プレート２１８は、フレーム２１０の下流センサ開口部または「ウィンドウ」２８８を画定、包囲、または制限し得る。ポンプ８００は、レセプタクル８１２、上流閉塞センサ８２８、下流閉塞センサ８３２、およびエアインライン検出器８３６のいずれかまたはすべてを中に含み得、これは限定するものではないが、センサの他の位置、組み合わせ、または配置がポンプ８００内に含まれ得る。上流センサウィンドウ２８６は、蠕動チューブ２０２の一部以外、アセンブリ２００のいずれの構造も実質的に有さないことがあり、概して、アセンブリ２００がポンプ８００のアセンブリレセプタクル８１２に固設されたときに上流閉塞センサ８２８がチューブ２０２に係合し得る領域に対応し得る。下流センサウィンドウ２８８は、蠕動チューブ２０２の一部以外、アセンブリ２００のいずれの構造も実質的に有さないことがあり、概して、アセンブリ２００がポンプ８００のアセンブリレセプタクル８１２に固設されたときに下流閉塞センサ８３２および／またはエアインライン検出器８３６がチューブ２０２に係合し得る領域に対応し得る。
【００８１】
ポンプ８００のレセプタクルドア８１６は、ドア８１６が閉じられ、アセンブリ２００の近くに固設されたときに、チューブ２０２に沿って、上流閉塞センサ８２８、ならびに下流閉塞センサ８３２およびエアインライン検出器８３６のほぼ反対側にそれぞれ位置決めされ得るチューブ支持部８４０、８４４を含み得、それにより、チューブ２０２はチューブ支持部８４０、８４４および閉塞センサ８２８、８３２と、エアインライン検出器８３６との間に位置する。かかる構成にある場合、ポンプ８００およびアセンブリ２００は、例示的な実施形態では、センサ８２８、８３２、検出器８３６、およびチューブ支持部８４０、８４４が実質的にフレーム２１０に接触しないように構造化され得る。他の実施形態では、アセンブリ２００と同様のアセンブリは、蠕動チューブとポンプセンサ／検出器との間に予荷重を提供し得るチューブ支持部を含み得る。かかるチューブ支持部は、アセンブリ２００のフレーム２１０と同様のフレームと共に含まれ得る。
【００８２】
例えば、図８に示されるように、ポンプ８００のアセンブリレセプタクル８１２は、アセンブリ２００のＦＦＰアーム２４６を収容し、それと相互作用する特徴を含み得る。特に、アセンブリレセプタクル８１２の表面は、アセンブリ２００がポンプ８００内に設置されたときに、フリーフロー防止位置とフリーフロー許容位置との間のＦＦＰアーム２４６のほぼ邪魔されない運動を可能にするように寸法決めされた凹部８４８を画定、包囲、または制限し得る。凹部８４８の頂部に向かって、アセンブリレセプタクル８１２の表面は、少なくとも１つのラッチ傾斜面８５２を含み得る。ポンプ８００のレセプタクル８１２内のラッチ傾斜面（複数可）とアセンブリ２００の解除キャッチ２７０とは協働するように構造化され得、それにより、アセンブリ２００がアセンブリレセプタクル８１２内に配置および／またはそこに固設されたときに、アセンブリ２００のＦＦＰアーム２４６がフリーフロー許容位置に向かって移動するにつれて、解除キャッチ２７０の一部（複数可）（その側部延長部など）が実質的にラッチ傾斜面（複数可）８５２に沿って摺動する。したがって、かかる摺動相互作用中に、ラッチ傾斜面（複数可）８５２によってＦＦＰアーム２４６の解除キャッチ２７０に及ぼされる接触力は、アーム２４６を十分撓ませて、ラッチ機構がフリーフロー許容位置にラッチ留めするのを防止することができる。本明細書の他の箇所で論じられるように、ＦＦＰアーム２４６は、レセプタクルドア８１６が閉じられ、ドアラッチレバー８５６がその（例えば、図１０に示される）ラッチ解除位置から、その（例えば、図１１に示される）ラッチ留め位置まで移動したときに、フリーフロー許容位置に向かって移動し得る。かかる動作中に、ラッチ傾斜面（複数可）８５２は、実質的にラッチ機構がフリーフロー許容位置にラッチ留めすることを抑制または防止し得る。さらに、アセンブリ２００がアセンブリレセプタクル８１２に固設される前に、ラッチ機構がフリーフロー許容位置にラッチ留めされた場合、アセンブリ２００がレセプタクル８１２に（前述のように、スナップ嵌めタブ２７６をスナップ嵌め開口部８２０の中に押下することによって）固設されたときに、ラッチ傾斜面（複数可）８５２は、ＦＦＰアーム２４６を十分撓ませるように十分な力を解除キャッチ２７０に及ぼすことができ、その結果、ラッチ機構が解除され、それによって、ＦＦＰアーム２４６がフリーフロー防止位置に（例えば、バネ２５８によって）付勢されることを可能にする。これは、重要な安全特徴であり得、投与セット１０４が、最初にポンプに固設されたときに、非フリーフロー状態にあることを確実にするのを助ける。
【００８３】
例えば、図８に示されるように、ポンプ８００のアセンブリレセプタクル８１２は、ポンプ８００のアセンブリレセプタクル８１２によって受容されたアセンブリ２００の存在を検出、および／またはアセンブリ２００の特定のもしくは異なるタイプまたはユニットを識別するように構成され、使用され得る光デバイス８６０を含み得る。ドア８１６が閉じられ、アセンブリ２００がアセンブリレセプタクル８１２によって受容されていない場合、光基準／較正部分８６４は、光デバイス８６０のほぼ視野内で、ドア８１６内に含まれるか、またはその上にあってもよい。光デバイス８６０は、光源、撮像光センサおよび／または非撮像光センサ、偏光活性構成要素、ならびに屈折、反射、および／または回析要素などの光方向変換構成要素を含むが、これらに限定されない、光検出／識別のための任意の好適なハードウェアを含み得る。いくつかの実施形態では、光デバイス８６０は、色を検出するように構成され得、アセンブリ２００の特定のもしくは異なるタイプまたはユニットは、異なる輸液用途、治療、または手技であって、そのためにそれらの対応する投与セット１０４が構成および意図された、異なる輸液用途、治療、または手技を符号化するように異なってまたは固有に色付けされ得る。例えば、いくつかのヘルスケア環境では、黄色のスキームは一般に、硬膜外手技に付随するものとして医療従事者によって識別され、オレンジ色のスキームは一般に、結腸手技に付随するものとして医療従事者によって識別される。（かかる色の関連付けは、必ずしも普遍的ではなく、病院、施設、地域、慣習などによって異なる可能性があることに留意されたい）いくつかの実施形態では、アセンブリ２００のフレーム２１０の実質的な部分または本質的にすべては、特定の輸液適用、治療、または手技を識別する色を有するかまたは示し得る。かかる識別色の使用により、介護者が投与セット１０４の意図された用途、治療、または手技を迅速に認識することを可能にすることができ、光デバイス８６０は、投与セット識別情報をポンプ８００のコントローラに提供することができる。輸液用途、治療、または手技のために、かかる情報を用いて、次いで、コントローラは、それ自体および／またはポンプ８００を構成またはプログラムし得る。
【００８４】
アセンブリ２００がアセンブリレセプタクル８１２によって受容された後、ドア８１６は（例えば、図８に示されるように）ヒンジ８６８を中心にして回転して閉じられ得、ドアラッチレバー８５６は図９〜１１に示されるように、ラッチ解除位置からラッチ留め位置まで移動し得る。図１０は、閉位置にあるドア８１６とラッチ解除位置にあるドアラッチレバー８５６とを備えたポンプ８００の一部の概略斜視図である。図１１は、閉位置にあるドア８１６とラッチ留め位置にあるドアラッチレバー８５６とを備えたポンプ８００の一部の概略斜視図である。図８および９では、ドア８１６は完全にまたは実質的に開位置にあるが、ドアラッチレバー８５６は任意で、ドアラッチレバー８５６の位置または移動に依存するドア８１６の内部の特徴を示すために、別様に図８ではラッチ留め位置にあり、図９ではラッチ解除位置にあるであろうことが理解される。例えば、図８および９に示されるように、ドア８１６は、レセプタクル８１２の１つ以上のドアラッチピン８７６に対応する１つ以上のドアラッチフック８７２を含み得る。レバー８５６がラッチ留め位置とラッチ解除位置との間で移動するように、ドアラッチフック８７２をドアラッチレバー８５６に機械的にリンクさせて、応答可能に移動させることができる。ドア８１６が閉じられ、ドアラッチレバー８５６がラッチ留め位置にあるとき、ドアラッチフック８７２は、ラッチドア８１６を閉位置に係合式に拘束するように、ドアラッチピン８７６に対して応答可能なように位置決めされ得る。ドアラッチレバー８５６がラッチ解除位置にあるとき、ドアラッチフック８７２は、ドア８１６が閉位置に出入りする際にドアラッチピン８７６と干渉せずに係脱して応答可能に位置決めされ得る。
【００８５】
図８および９に示されるように、ドア８１６は、レバー８５６がラッチ留め位置とラッチ解除位置との間を移動するように、ドアラッチレバー８５６に機械的にリンクされ得るＦＦＰアーム押出部８８０を含み得る。いくつかの実施形態では、ＦＦＰアーム押出部８８０は、ドアラッチフック８７２の構造上に一体的に設けることができる。ＦＦＰアーム押出部８８０は、ドアラッチレバー８５６に動作可能に連結され得、アセンブリ２００がアセンブリレセプタクル８１２に受容され、ドア８１６が閉じられたときに、ドアラッチレバー８５６がラッチ留め位置に移動するにつれて、ＦＦＰアーム押出部８８０が（例えば、アーム２４６の母指押下面２６６および／またはアーム２４６の他の部分に力を及ぼすことによって）ＦＦＰアーム２４６をフリーフロー防止位置からフリーフロー許容位置まで押出ように構成され得る。ドアラッチレバー８５６がラッチ解除位置に戻されたときに、ＦＦＰアーム押出部８８０は、それに応じて後退し、それにより、例えば、バネ２５８によって提供された付勢力がＦＦＰアーム２４６をフリーフロー防止位置に戻すことを可能にし得る。本明細書の他の箇所に記載されるように、ラッチ傾斜面（複数可）８５２は、アセンブリ２００がアセンブリレセプタクル８１２によって受容されたときに、ＦＦＰアーム２４６の前述のラッチ機構がラッチ留めすることを防止し得る。本明細書に記載される配置は、ドア８１６が開かれ、アセンブリ２００がポンプ８００から除去されたときに、実質的にＦＦＰアーム２４６がフリーフロー防止状態にあることを確実にするのを助けるための重要な安全特徴であり得る。
【００８６】
アセンブリ２００およびポンプ８００の協働的なおよび／または応答可能に起動されたフリーフロー保護機構の動作の一例を概説するために、動作の可能な配列を図１〜１１を参照してここに提示する。アセンブリ２００を含む投与セット１０４を、ＩＶバッグ１２０などの輸液剤容器に連結することができる。任意選択で、投与セット１０４をプライムするために、介護者は、ラッチ機構を用いてアセンブリ２００のＦＦＰアーム２４６をフリーフロー許容状態にラッチ留めすることができる。プライム後、介護者は、上述のように、例えば、解除キャッチ２７０を操作することによって、ラッチ機構をラッチ解除することができる。介護者は、スナップ解除ハンドル２７８を把持し、アセンブリ２００をレセプタクル８１２に移動させ、スナップ嵌めタブ２７６をスナップ嵌め開口部８２０の中に押下することによって、アセンブリ２００をアセンブリレセプタクル８１２に固設することができる。アセンブリ２００がレセプタクル８１２内に配置されるか、またはレセプタクル８１２に固設される直前に、ラッチ機構がラッチ留めされたままである場合、タブ２７６が開口部８２０の中に押下されるにつれて、ラッチ傾斜面（複数可）８５２は、ラッチ機構を解除するように十分な力を解除キャッチ２７０に及ぼすことができ、それによって、ＦＦＰアーム２４６をフリーフロー防止位置に（例えば、バネ２５８によって）付勢することができる。
【００８７】
アセンブリ２００がアセンブリレセプタクル８１２に固設されると、次いで、介護者は、ドア８１６を閉じることができる。ドア８１６がその閉位置に回転または移動すると、圧力プレート８２６は、チューブ係合部材８１８とは反対の蠕動チューブ２０２の一部に沿って、適所に到達し得、チューブ支持部８４０、８４４は、閉塞センサ８２８、８３２および検出器８３６とは反対のチューブ２０２の一部に沿って、適所に到達し得る。ドア８１６をその全閉位置へ導くために、ドアラッチレバー８５６がラッチ留め位置にある場合、それをラッチ解除位置に移動させる必要がある場合があり、別様にドアラッチフック８７２がラッチピン８７６と干渉することがある。ドア８１６がその全閉位置にあると、ドアラッチレバー８５６をラッチ留め位置に移動させることができる。ドアラッチレバー８５６がラッチ留め位置に移動するにつれて、前述のように、ドアラッチフック８７２は、それらがドアラッチピン８７６の周りを延在させるか、またはフック留めして、ドア８１６が意図せずに開くことを防止するのを助けることができる、それらのラッチ留め位置に応答可能に移動し得る。ドアラッチフック８７２がそれらのラッチ留め位置に移動するにつれて、ＦＦＰアーム押出部８８０は、ＦＦＰアーム２４６をフリーフロー許容位置へ累進的に押出し得る。しかしながら、ドア８１６が完全に閉じられると、いくつかのチューブ係合部材８１８および圧力プレート８２６は、ＦＦＰアーム２４６がフリーフロー許容位置にあっても、単にそれらの存在によりチューブ２０２を閉塞し、それに伴って、フリーフローを防止することができる。
【００８８】
ドア８１６が閉じられる前であっても、後であってもよい任意の好適な時間に、上流チューブ類１２６および下流チューブ類１３０（図９〜１１に図示せず）を手動でチューブガイド８８４内に押下することができる。
【００８９】
ポンプ８００による輸液剤送達の完了後または任意の好適な時間に、ドアラッチレバー８５６を、ドア８１６を開く前に、ラッチ留め位置からラッチ解除位置まで移動させることができる。ドアラッチレバー８５６がラッチ解除位置まで移動すると、ＦＦＰアーム押出部８８０は後退し、ＦＦＰアーム２４６がフリーフロー防止位置に付勢されることを可能にすることができる。その後にドア８１６が開かれた後、アセンブリ２００をスナップ解除ハンドル２７８の操作によってアセンブリレセプタクル８１２から解除することができ、投与セット１０４を、ＦＦＰアーム２４６がフリーフロー防止位置にある状態で、ポンプ８００から分離、係脱、または除去することができる。ドアラッチレバー８５６をラッチ解除位置まで移動させる前に、前述のように、フリーフローは、チューブ係合部材８１８および圧力プレート８２６によって防止されるであろう。したがって、フリーフローの防止を、アセンブリ２００がアセンブリレセプタクル８１２に固設されてから、アセンブリがレセプタクルから除去された後のもっと後の時間まで実質的に連続的に維持することができる。
【００９０】
注目すべきは、前述の動作の可能な配列における動作のいずれかまたはすべてを、（例えば、限定はされないが、ＦＦＰアーム２４６をラッチ留めおよびラッチ解除すること、アセンブリ２００とレセプタクル８１２とを固設および解除すること、ドア８１６を開閉すること、ならびにラッチ留め位置とラッチ解除位置との間でドアラッチレバー８５６を移動させること）を片手のみを使用して遂行することができることである。これは、輸液ポンプシステムの使用の容易さに大きく寄与し得る。
【００９１】
図には示されていないが、別の実施形態では、いくつかの態様において、フリーフロー保護を含むが、ラッチ機構、および／または異なるラッチ機構の構造もしくは構成を含む、アセンブリ２００と同様のアセンブリが提供され得ることが認識および理解される。ＦＦＰアーム２４６のラッチ構造２５０のようなラッチ構造を含まないフリーフロー保護アームが提供され得る。ラッチ構造がなければ、かかる代替のフリーフロー保護アームは、必ずしも（例えば、図６および７に示されるように、ラッチ受け２６０からのラッチ構造２５０の解除を可能にするために、ＦＦＰアーム２４６が提供し得る）撓みを提供する必要はないであろう。かかるフリーフロー保護アームを、例えば、ポンプ８００のアセンブリレセプタクル８１２と互換性があるように構成することができ、特に、ドアラッチレバー８５６がラッチ留め位置とラッチ解除位置との間で移動するにつれて、フリーフロー許容位置とフリーフロー防止位置との間でフリーフロー保護アームをそれぞれ移動させるように、ＦＦＰアーム押出部８８０で動作可能なように構成することができる。
【００９２】
図には示されていないが、フリーフロー保護アームおよびフレームと一体的に提供されたラッチ機構を有していない別の実施形態では、プライミング投与または重力投与などのために、別個のラッチクリップまたはデバイスを提供して、フリーフロー保護アームをフリーフロー許容位置に固設することができることが認識および理解される。かかる別個のラッチクリップまたはデバイスは、クリップまたはデバイスがフリーフロー保護アームをフリーフロー許容位置に固設する際に、（例えば、機械的干渉によって）アセンブリをポンプに動作可能に連結することを防止するように形状決めされるか、または構造化されてもよい。したがって、別個のクリップまたはデバイスは、アセンブリをポンプに動作可能に連結する前に、取り外されるかまたは無効化され、それによって、フリーフローの安全目的または要件を満たすであろう。
【００９３】
代替的に、または光センサ８６０を有する図８に示される配置に加えて、アセンブリ２００の識別のための（例えば、図１３を参照して記載されるであろう）他の感知デバイスまたは手段８６０Ａも同様に企図される。かかる感知デバイス８６０Ａを使用して、アセンブリ２００の輸液、適用、治療、手技、または他のグループ化の意図された「経路」を容易に識別することができる。
【００９４】
代替の感知デバイス８６０Ａのいくつかの例を、図１３〜１７Ｃおよび以下の説明において開示および記載する。図１３において、ポンプ８００Ａは、アセンブリレセプタクル８１２Ａおよび感知デバイス８６０Ａを有するものとして示されている。図１３の特徴が以下の開示で具体的に説明されない限り、それらは、図８に関連する説明および対応する参照番号と一致すると理解されるべきである。図１３のポンプ８００Ａと嵌合するための対応するアセンブリ２００Ａを図１４に示す。図１４の特徴が以下の開示で具体的に説明されない限り、それらは、図３に関連する説明および対応する参照番号と一致すると理解されるべきである。
【００９５】
概して、図１３の感知デバイス８６０Ａは、さまざまなタイプおよび検出機能の１つ以上のセンサであり得る。いくつかの実施形態では、識別センサ８６０Ａは、磁気キーイング、ピン構成、サイズ、形状、無線周波数識別（ＲＦＩＤ）、近距離通信（ＮＦＣ）、または他の識別技術のうちの１つ以上に基づいて検出するための構成要素を含み得る。ある特定の実施形態では、検知デバイス８６０Ａは、図８で先に記載される光センサ８６０の変形も含み得る。
【００９６】
薬物送達のアセンブリの意図された「経路」（すなわち、薬物が進む位置）に基づくアセンブリ２００Ａのグループ化は、特に、これらのグループが感知デバイス８６０Ａ（または８６０）を使用することによって迅速かつ確実に識別され得る場合に、さまざまな利点を有することがある。いくつかの実施形態では、１つ以上の感知デバイス８６０Ａによって、ポンプが、取り付けられたアセンブリ２００Ａ上に存在する識別子に基づいて、輸液の意図された「経路」を検出することが可能になる。例えば、輸液の「経路」としては、静脈内送達、口を介した送達、補給チューブを介した送達、または代替注入位置を介した送達が挙げられ得る。「経路」の識別は、経路が必要なハードウェアを定義することできるので、有用なグループ化であり得る。したがって、「経路」を知ることは、典型的には、特定の輸液を達成するために必要とされるアセンブリ２００Ａ（またはより大きな使い捨てセット）を決定するものである。使用されるアセンブリの物理的特性だけでなく、輸液経路を感知することは、ポンプの性能に関連するアセンブリタイプまたは使い捨てセットを提供し、そのアセンブリタイプまたは使い捨てセットに対応する薬剤ライブラリを自動的にフィルタリングすることを可能にする。「Ｍｅｄｉｃａｍｅｎｔ  Ｉｎｆｕｓｉｏｎ  Ｓｙｓｔｅｍ  ａｎｄ  Ｐｕｍｐ  Ａｓｓｅｍｂｌｙ  ｆｏｒ  Ｕｓｅ  Ｔｈｅｒｅｉｎ」と題する２０１６年２月４日に公開されたＢｌｏｍｑｕｉｓｔに対するＰＣＴ特許公開第ＷＯ２０１６／０１８５５２Ａ１号は、ポンプならびに他のシステム、方法、および材料に対する輸液経路の識別にさらに関するものであり、参照により完全に本明細書に組み込まれる。
【００９７】
アセンブリ２００Ａの識別情報の検出は、認証目的のため、およびプログラミング目的の容易さのための両方に有用であり得る。アセンブリ２００Ａの認証に関して、アセンブリ２００Ａが正しい経路を介して、または別のパラメータに従って送達されていることの検証は、ユーザエラーを低減し、正式なアセンブリ２００Ａを識別する方法を提供するのに役立つであろう。承認された仕様に従って、および／または認証された供給業者によって製造された正式なアセンブリ２００Ａを識別することは、同様にユーザに望ましい安全上の利益を提供する可能性がある。
【００９８】
プログラミングに関して、輸液経路を検出することにより、使い捨てアセンブリ２００Ａを互換性のある輸液ポンプに取り付ける際に、ポンプ８００Ａが所望の経路または投与タイプについてのプログラミングプロセスを自動的に開始することが可能になる。ポンプによるこの情報の即時認識は、輸液が行われるのに必要なプログラミングステップを単純化し、輸液を開始する期間を短縮し、潜在的なプログラミングエラーのある特定の原因を排除することができる。
【００９９】
図１４は、図３の配置と同様のアセンブリ２００Ａの一例を示しており、その中において、アセンブリ２００Ａの後方概略斜視図を見ることができる。図１４では、アセンブリ２００Ａ上の１つ以上の領域が、色または他の識別特徴に基づいて識別子８６１Ａとして機能する。場合によっては、識別子８６１Ａは、着色表面またはタグである。いくつかの実施形態では、この色は、検出用に、関連付けられた可視または赤外光波長を提供し得る。図１４に示されるように、固設プレート２２４ａ上の平らな領域を、例えば、識別子８６１Ａのために使用することができる。
【０１００】
したがって、一般的な蠕動ポンプの識別配置を図１３および１４の構成要素の組み合わせにより理解することができる。具体的には、一般的な識別配置は、（図１３に示される）ポンプ８００Ａ上の感知デバイス８６０Ａと、（図１４に示される）アセンブリ２００Ａ上の識別子８６１Ａとを含み得る。使用される識別技術に依存するが、概して、感知デバイス８６０Ａは「読み取り機」として機能し、嵌合アセンブリ２００Ａ上に位置する識別子８６１Ａは識別データの供給源として機能する。アセンブリ２００Ａは、いくつかの実施形態では、アセンブリ２００Ａに永続的に設置または連結される識別子と共に構成され得る。嵌合式輸液ポンプ８００Ａは、輸液ポンプ８００Ａに取り付けられているアセンブリ２００Ａを自動的に識別して、プログラミングプロセスを開始するための適切な読み取り機または感知デバイス８６０Ａを有するであろう。このタイプの識別配置を使用することは、アセンブリ２００を識別するロバストな方法を提供し、ユーザエラーを低減する。
【０１０１】
いくつかの実施形態では、識別子８６１Ａは、アセンブリ２００Ａ上の別個の識別子８６１Ａではなく、アセンブリ２００Ａを通過するチューブ類の色に関連し得る。さらに、識別子８６１Ａは、アセンブリ２００Ａの任意のタイプの構成の上に位置すると理解されてもよく、図または明細書の中で本明細書に開示されるアセンブリおよび実施形態によって決して限定されない。ある特定のアセンブリは、アセンブリを画定するフレーム２１０上に１つ以上の識別子（複数可）８６１Ａを含み得る。他の実施形態は、アセンブリフレーム構造２１０のすぐ外側に１つ以上の識別子（複数可）８６１Ａを含む。他の実施形態は、非ユニタリフレームおよび／またはマルチパートフレーム構造上の識別子８６１Ａに関連し得る。いくつかのアセンブリは、具体的に定義されたフレーム構造がまったくないことがある。
【０１０２】
いくつかの実施形態では、識別子８６１Ａは、Ｙサイト、ストップコック、ＦＦＰアーム２４６、ＦＦＰバネ２５８、摺動クランプ、またはチューブカプラなどのアセンブリ２００Ａの構成要素部品の一部またはこれらの一部として感知され得る。同様に、使用される感知デバイス８６０Ａを、さまざまな点で非限定的であると見なすことができる。感知デバイス８６０Ａは、フレーム２１０の外側に、またはフレーム２１０の内側に位置合わせされてもよい。
【０１０３】
いくつかの実施形態では、磁気キーイングに基づくアセンブリ２００Ａの検出を識別のために利用することができる。これらの実施形態では、感知デバイス８６０Ａは、ホール効果センサまたは誘導電界を変化させるために使用される他のデバイスを含み得る。感知デバイス８６０Ａは、アセンブリ２００Ａ上の磁気キーまたは識別子８６１Ａの読み取り機として機能し得る。したがって、識別子８６１Ａは、磁気キーを介して識別データを提供する。
【０１０４】
いくつかの磁気キー配置では、感知デバイス８６０Ａは、エンコーダを介して回転磁界を感知する。いくつかの実施形態では、マイクロプロセッサチップをポンプ１０２に装着させることができる。異なる使い捨て用具が異なる磁気方向を提供するように、デバイスを配置することができる。感知デバイス８６０Ａのいくつかの線形磁気実施形態では、センサは、南北磁石（すなわち、図の北は「Ｎ」、南は「Ｓ」として示される）を一列に配置するであろう。いくつかの実施形態では、産業用モータセンサは、絶対位置または相対位置を提供するであろう。かかる感知配置は、複数のキーを感知する単一のセンサを利用する能力を提供し得る。
【０１０５】
図１５Ａ〜Ｅは、磁気キーイング機能を提供することができる感知デバイス８６０Ａの例を提供する。図１５Ａは、処理チップ９０４上の磁気回転エンコーダ９０２からなる感知デバイス８６０Ａを示している。このタイプのセンサは、非接触式であり得、いくつかの実施形態では、磁界感知ホール素子、アナログフロントエンド、およびデジタル信号処理を統合し得る。回転位置をデバイスの上に配置された小さな回転磁石によって非接触式に感知して、特定のアセンブリまたは指定された「経路」を識別する。いくつかの実施形態では、場合によっては、ある程度の派閥の解決を可能にするフル旋回の小さな絶対位置が感知されてもよい。
【０１０６】
図１５Ｂおよび１５Ｃは、線形運動および軸外回転の測定を検出することによって、磁気キーイングに依存し得る感知デバイス８６０Ａを示している。図１５Ｂは、ホール効果と信号プロセッサとを組み合わせた感知デバイス８６０Ａの一例を示している。具体的には、極対を有する磁気ストリップ９１２が信号プロセッサ９１４と連結されている。したがって、線形磁気移動に基づいて、アセンブリ識別／情報を得ることができる。図１５Ｃにおいて、極対の磁気リング９２２および信号プロセッサ９２４を含む別の実施形態を示す。このような極対の磁気リング９２２は、一回転当たりの位置の非常に高い分解能を提供し得、かなりのＲＰＭで動作し得る。
【０１０７】
図１５Ｄおよび１５Ｅは、「垂直」磁界および「水平」磁界の両方を同時に検出するホール効果ラッチを含むセンサによる磁気キーイングを利用する送信デバイス８６０Ａの例を示している。これらの各々は、磁気回転エンコーダ９３２およびプロセッサ９３４を含む。図１５Ｄに示されるように、結果を、９３６で示されるように、ＡピンおよびＢピンに読み出すことができる。図１５Ｅでは、９３８で示されるように、パルスおよび回転方向を出力することができる。かかる磁気キーイングデバイスの数多くの変形および／または組み合わせを感知デバイス８６０Ａとして利用することができる。
【０１０８】
他の実施形態では、アセンブリ２００Ａの検出は、キー付きピン構成に基づくことがある。これらのピン構成は、機械的または電気的であり得、検知デバイス８６０Ａ上にパターン化されたピン配置を受容するための押出ピンまたはインターフェースを含み得る。対応するアセンブリ２００Ａ上に存在する特定の識別用幾何学的形状は、意図された経路または他の識別情報を感知デバイス８６０Ａに伝達するであろう。係合ピンを受容または提供するためのレセプタクルまたは接点９４０を有する可能な感知デバイスの構成例を、図１６Ａ〜Ｃの上面図の描写および図１６Ｄの斜視図の実施形態に示す。対応する係合ピンまたは接点は、アセンブリ２００Ａの識別子８６１Ａ上に存在するであろう。
【０１０９】
いくつかの実施形態では、ピン構成またはパターン化された配置は、電気マトリクスアレイとして提示されるであろう。したがって、かかる感知デバイス８６０Ａは、セルのグリッドにわたる力の同時測定を可能にする。いくつかの実施形態では、静的および動的フットプリントまたはマルチタッチユーザ入力を捕捉するために、マトリクスアレイを使用することができる。場合によっては、マトリクス配置は、ポンプ１０２が受信し得るより詳細な情報を記憶するメモリさえも含み得る。
【０１１０】
ピンまたは他の特徴を使用した検出は、図１６Ａ〜Ｄに参照されるように、物理的な幾何学的形状に依存し得る。代替的に、電気的な幾何学的形状を利用することができる。オン／オフスイッチに依存する形状または機械的ピンによる検出ではなく、力センサアレイを使用して力の量を検出する。電気的な幾何学的形状は、提示された電気的な幾何学的形状を解釈するために感知デバイスを用いて可変抵抗を感知することに依存し得る。したがって、「キー」は、特定のアセンブリに関連付けられた可変抵抗を提供するための手段である。場合によっては、静電容量またはインダクタンスを「キー」として使用することもできる。場合によっては、電気的な幾何学的形状は、ポンプ１０２が受信し得るより詳細な情報を記憶するメモリさえも含み得る。
【０１１１】
図１６Ｄは、機械的および／または電気的な幾何学的形状に基づき得るポゴピン設計の一例を示している。ピン９５０は、取り付けられたアセンブリ２００Ａ（または薬物「経路」などの情報）をアセンブリレセプタクル８１２Ａまたはポンプ１０２に対して識別するための「キー」を提供する。いくつかのポゴピンは、例えば、内部バネ、または接点を作るための他の弾性機構を含み得る。
【０１１２】
特定のサイズおよび形状の突起を識別することに基づく他の形態の識別および検出も可能である。ある特定の実施形態では、アセンブリ２００Ａの幾何学的特徴を整合および検出するための特徴が感知デバイス８６０Ａ上に存在する。感知デバイス８６０Ａ上に存在する特徴は、例えば、フランジまたは入れ子式凹部９６０を含み得る。アセンブリ２００Ａの識別子８６１Ａ上に存在する特別な大きさおよび形状の突起を受容するための可能な感知デバイス８６０Ａのインターフェースまたは設計特徴の例を図１７Ａ〜Ｃに示す。
【０１１３】
上記で論じられるように、特別な形状の特徴を使用する検出は、物理的な幾何学的形状または電気的な幾何学的形状に依存し得る。場合によっては、力センサアレイを使用して、力の量を検出することができる。電気的な幾何学的形状は、可変抵抗などを感知することに依存し得る。感知抵抗、静電容量、またはインダクタンスを「キー」として使用することができる。
【０１１４】
アセンブリ２００Ａの特性の検出はまた、ＲＦＩＤ技術に基づく場合がある。いくつかの実施形態では、ＲＦＩＤ読み取り機をポンプ８００Ａ内の感知デバイス８６０Ａとして使用することができる。さらに、アセンブリ２００Ａは、アセンブリ２００Ａに関して、さまざまな情報をＲＦＩＤ読み取り機に記憶および提供し得る識別子８６１ＡとしてＲＦＩＤタグを提供し得る。この情報は、例えば、輸液、適用、治療、手技の「経路」、製造日、製造ロット番号、製造現場、有効期限、使用目的、一次体積、上流体積、下流体積、アラーム、プログラミング情報のうちの１つ以上を含み得る。製造情報の追跡には多くの使用目的があり、安全性と機能性の追加のオプションを可能にし得る。例えば、製造情報を追跡することは、アセンブリ２００Ａで遭遇する任意の問題を容易に特定し、即座に取り扱うことができることを確実にするのに役立つ場合がある。追跡情報を使用して、さまざまなアラームをトリガすることができる。日付を追跡することにより、輸液剤がもはや安全に使用できず、交換が必要な場合に、ユーザに警告することができる。輸液剤の体積を追跡することにより、輸液送達および交換時期のより正確な計画が可能になる。これらのタイプの情報を転送することがＲＦＩＤ技術に関連して論じられているが、本明細書で論じられる感知デバイス８６０または８６０Ａのための他の技術のうちの１つ以上を使用して同様の情報を伝達することもできる。
【０１１５】
近距離通信（ＮＦＣ）に基づく検出は、ポンプ上の適切な感知デバイス８６０Ａとアセンブリ２００Ａ上の識別子８６１Ａとを使用して、識別のための低電力オプションを提供する別の方法である。
【０１１６】
ある特定の実施形態では、感知デバイス８６０Ａを介して取得された情報が、ポンプ８００の自動プログラミング（または「スマートポンププログラミング」）のために利用されるであろう。自動プログラミングは、輸液エラーを排除し、より即時かつタイムリーな患者ケアを提供するのに役立つ場合がある。いくつかの自動プログラミングの実施形態では、患者の安全性のためにプログラミングの手動オーバーライドも提供される。
【０１１７】
場合によっては、識別センサ８６０Ａは、可視光および／または赤外（ＩＲ）光を感知することに依存する色センサ８６０であってもよい。色センサ８６０は、アセンブリ２００のＩＲ特性を検出するためのＩＲチャネルを使用し得る。識別のためにＩＲチャネルに依存することによって、センサ８６０は、ユーザが容易に見ることができないアセンブリ２００の色の変化を検出し得る。したがって、非可視のデバイス認証情報は、かかるアセンブリ２００の認証されていない製造業者または供給者による複製がより困難であり得るため、ＩＲチャネルの使用は、認証されていないアセンブリ２００が使用されることを抑止または防止するのに役立つ場合がある。
【０１１８】
同様に、場合によっては、非常に特殊な「Ｐａｎｔｏｎｅ」色または特定の色範囲を認識し応答するように、ポンプ８００をプログラムすることができる。かかる実施形態では、特定の色は、輸液経路を示すか、もしくは認証されていないアセンブリ２００の使用を防止するための仮想キーを提供するか、または輸液経路の表示および認証されていないアセンブリ２００の使用を防止するための仮想キーの両方の組み合わせを提供し得る。例えば、識別子８６１Ａとして正しいＰａｎｔｏｎｅ色または特定の色範囲を有していない認証されていないアセンブリ２００は、ポンプ８００では機能しない。概して、さまざまな形態の色センサ８６０を含むさまざまな識別センサ８６０Ａは、適切な認証情報が検出されない場合、アセンブリ２００がポンプ２００と連動することを防止し得る。アセンブリ２００の使用を制限する認証特徴は、大きく変化する可能性があり、本明細書に具体的に開示される認証のタイプによって限定されるものではない。
【０１１９】
いくつかの実施形態では、アセンブリ２００または２００Ａ上の識別子８６１Ａは、着色されたラベルまたは他の接着可能または挿入可能な、永続的または一時的識別タグである。他の実施形態では、色または識別子８６１Ａは、アセンブリ２００または２００Ａのフレームまたは構造の一部であるか、またはそれらに統合されている。識別子８６１Ａの位置は、アセンブリ２００または２００Ａのフレーム上で変化し得る。同様に、感知デバイス８６０Ａの位置は、輸液ポンプ８００Ａのアセンブリレセプタクル８１２Ａ内で変化し得る。
【０１２０】
図１３に示されるように、いくつかの実施形態では、基準／較正部分８６４Ａをポンプ８００Ａのドア８１６Ａの中または上に含めることができる。基準／較正部分８６４Ａは、ドア８１６Ａが閉じられ、アセンブリ２００Ａがアセンブリレセプタクル８１２Ａによって受容されていない場合、感知デバイス８６０Ａのすぐ近くにあるか、またはほぼ隣接するように構成され得る。場合によっては、基準／較正部分８６４Ａは、自己診断ラベルであり得、自己診断ラベルは、アセンブリ２００Ａが挿入されていないときに、感知デバイスが当該部分８６４Ａの自己診断ラベルを読み取ることを妨害するか、または別様に防止するように自動で開始されようと手動で開始されようと、ポンプに、自己診断の必要性を合図するか、または別様に自己診断をプロンプトすることを行わせる。
【０１２１】
具体的には、基準／較正部分８６４Ａなどの自己診断ベルは、アセンブリ２００Ａがアセンブリレセプタクル８１２Ａ内に挿入されていないときに、「非使い捨て状態（ｎｏ  ｄｉｓｐｏｓａｂｌｅ  ｃｏｎｄｉｔｉｏｎ）」または「非アセンブリ状態（ｎｏ  ａｓｓｅｍｂｌｙ  ｃｏｎｄｉｔｉｏｎ）」を識別し得る。これは、例えば、光学的に感知できる特定の色を表示するラベルであってもよい。他のタイプの「非使い捨て状態」または「非アセンブリ状態」のラベルまたは構成要素も可能である。したがって、ポンプ８００Ａは、使い捨て用具が設置されていない場合、容易かつ即時に検出し、それに応じて動作し得る。この特徴によって、ポンプ８００Ａは、その現在の構成および能力をよりよく認識する。
【０１２２】
輸液「経路」または他の識別情報を伝達するためにアセンブリ２００または２００Ａ上の色に依存するようなある特定の実施形態では、色はさらに、ポンプによって認識されてもよいし、ポンプのグラフィックユーザインターフェース（ＧＵＩ）において背景色として自動的に実装されてもよい。特定の「経路」または他の識別グループ化のために色を一貫して使用することで、ユーザにとって直観的で使いやすい制御を提供することができる。このタイプの一貫性は、ユーザの間違いおよびヒューマンエラーを最小限に抑えるか、または回避するのに役立つことがある。
【０１２３】
本開示および本明細書の主題に関連する当業者は、実施形態が、本明細書で例によって説明されるか、または別様に企図される任意の個々の実施形態に示されるよりも少ない特徴を含み得ることを認識するであろう。本明細書で例によって説明されるか、または別様に企図される実施形態は、さまざまな特徴が組み合わされ、かつ／または配置され得る方法の網羅的提示であることを意味するものではない。したがって、実施形態は、特徴の相互に排他的な組み合わせではなく、むしろ、実施形態は、当業者によって理解されるように、異なる個々の実施形態から選択された異なる個々の特徴の組み合わせを含み得る。その上、一実施形態に関して説明された要素は、別段の記載がない限り、そのような実施形態で説明されていない場合でも、他の実施形態で実装することができる。従属請求項は、特許請求の範囲において１つ以上の他の請求項との特定の組み合わせを指すことができるが、他の実施形態は、従属請求項と他の各従属請求項の主題との組み合わせ、または１つ以上の特徴と他の従属請求項もしくは独立請求項との組み合わせも含むことができる。特定の組み合わせが意図されていないと述べられていない限り、そのような組み合わせが本明細書において提案される。さらに、請求項が独立請求項に直接依存しない場合でも、請求項の特徴を任意の他の独立請求項に含めることも意図される。
【０１２４】
上記の文献を参照することによるいかなる取り込みも、本明細書の明示的開示に反する主題が組み込まれないように限定される。上記の文献を参照することによるいかなる取り込みも、その文献に含まれる請求項が参照により本明細書に組み込まれないようにさらに限定される。上記の文献を参照することによるいかなる取り込みも、本明細書に明示的に含まれていない限り、その文献に提供された定義が参照により本明細書に組み込まれないようにさらに限定される。
【０１２５】
特許請求の範囲の解釈のために、特定の用語「のための手段」または「のためのステップ」が請求項に記載されていない限り、米国特許法第１１２条（ｆ）の規定は援用されないことが明示的に意図されている。
【図１】
2019525784.tif 000003
【図２】
2019525784.tif 000004
【図３】
2019525784.tif 000005
【図４】
2019525784.tif 000006
【図５】
2019525784.tif 000007
【図６】
2019525784.tif 000008
【図７】
2019525784.tif 000009
【図８】
2019525784.tif 000010
【図９】
2019525784.tif 000011
【図１０】
2019525784.tif 000012
【図１１】
2019525784.tif 000013
【図１２】
2019525784.tif 000014
【図１３】
2019525784.tif 000015
【図１４】
2019525784.tif 000016
【図１５Ａ】
2019525784.tif 000017
【図１５Ｂ】
2019525784.tif 000018
【図１５Ｃ】
2019525784.tif 000019
【図１５Ｄ】
2019525784.tif 000020
【図１５Ｅ】
2019525784.tif 000021
【図１６Ａ】
2019525784.tif 000022
【図１６Ｂ】
2019525784.tif 000023
【図１６Ｃ】
2019525784.tif 000024
【図１６Ｄ】
2019525784.tif 000025
【図１７Ａ】
2019525784.tif 000026
【図１７Ｂ】
2019525784.tif 000027
【図１７Ｃ】
2019525784.tif 000028
【国際調査報告】
2019525784.tif 000029
2019525784.tif 000030